(57)【要約】【課題】被検眼内の注目部位をユーザに対して高精度に把握させることができる眼科用出力装置、眼科用表示装置、眼科用出力方法、及びプログラムを提供する。【解決手段】眼科方法は、被検眼の２次元画像及び３次元画像を取得し、前記２次元画像内の領域が指定された場合、前記領域を示す第１画像（２５０Ａ１）を前記２次元画像上に重畳表示し、前記３次元画像内の前記領域（２５０Ａ１）が対応する位置に合わせて前記第１画像を変換した第２画像を前記３次元画像に重畳表示する。【選択図】図１１Ａ
2020058611.tif 000002
【特許請求の範囲】
【請求項１】
被検眼の２次元画像及び３次元画像を取得する取得部と、
前記取得部により取得された前記２次元画像内の領域が指定された場合、前記領域を示す第１画像を前記２次元画像上に重畳表示し、前記３次元画像内の前記領域が対応する位置に合わせて前記第１画像を変換した第２画像を前記３次元画像に重畳表示する画像生成部と、
を含む眼科装置。
【請求項２】
被検眼の２次元画像及び３次元画像を取得する取得部と、
前記取得部により取得された前記３次元画像内の領域が指定された場合、前記領域を示す第１画像を前記３次元画像上に重畳表示し、前記２次元画像内の前記領域が対応する位置に合わせて前記第１画像を変換した第２画像を前記２次元画像に重畳表示する画像生成部と、
を含む眼科装置。
【請求項３】
前記２次元画像は眼底画像である請求項１又は請求項２に記載の眼科装置。
【請求項４】
前記３次元画像は前記２次元画像を眼球モデルに基づいて変換した画像である請求項１から請求項３の何れか１項に記載の眼科装置。
【請求項５】
前記画像生成部は、
前記２次元画像を表示する２次元表示領域と前記３次元画像を表示する３次元表示領域を有する表示画面を生成する請求項１から請求項４の何れか１項に記載の眼科装置。
【請求項６】
前記２次元表示領域の大きさと前記３次元表示領域の大きさは可変である請求項５に記載の眼科装置。
【請求項７】
前記領域は、線状又は矩形状の領域である請求項１から請求項６の何れか１項に記載の眼科装置。
【請求項８】
前記領域は、ＯＣＴスキャンが行われる領域である請求項１から請求項７の何れか１項に記載の眼科装置。
【請求項９】
被検眼の２次元画像を取得する取得部と、
前記取得部により取得された前記２次元画像内の領域が指定された場合、前記領域を示す第１画像を前記２次元画像上に重畳表示し、前記第１画像が重畳された前記２次元画像を３次元に変換した３次元画像を生成する画像生成部と、
を含む眼科装置。
【請求項１０】
被検眼の３次元画像を取得する取得部と、
前記取得部により取得された前記３次元画像内の領域が指定された場合、前記領域を示す第１画像を前記３次元画像上に重畳表示し、前記第１画像が重畳された前記３次元画像を２次元に変換した２次元画像を生成する画像生成部と、
を含む眼科装置。
【請求項１１】
被検眼の２次元画像及び３次元画像を取得するステップと、
前記２次元画像内の領域が指定された場合、前記領域を示す第１画像を前記２次元画像上に重畳表示するステップと、
前記３次元画像内の前記領域が対応する位置に合わせて前記第１画像を変換した第２画像を前記３次元画像に重畳表示するステップと、
を含む眼科方法。
【請求項１２】
被検眼の２次元画像及び３次元画像を取得するステップと、
前記３次元画像内の領域が指定された場合、前記領域を示す第１画像を前記３次元画像上に重畳表示するステップと、
前記２次元画像内の前記領域が対応する位置に合わせて前記第１画像を変換した第２画像を前記２次元画像に重畳表示するステップと、
を含む眼科方法。
【請求項１３】
被検眼の２次元画像を取得するステップと、
前記２次元画像内の領域が指定された場合、前記領域を示す第１画像を前記２次元画像上に重畳表示するステップと、
前記第１画像が重畳された前記２次元画像を３次元に変換した３次元画像を生成するステップと、
を含む眼科方法。
【請求項１４】
被検眼の３次元画像を取得するステップと、
前記３次元画像内の領域が指定された場合、前記領域を示す第１画像を前記３次元画像上に重畳表示するステップと、
前記第１画像が重畳された前記３次元画像を２次元に変換した２次元画像を生成するステップと、
を含む眼科方法。
【請求項１５】
プロセッサ及びメモリを有するコンピュータに含まれる前記メモリに記憶され、かつ、前記プロセッサによって実行される眼科プログラムであって、
請求項１から請求項１０の何れか１項に記載の眼科装置に含まれる前記取得部及び前記画像生成部として前記コンピュータを機能させるための眼科プログラム。
【請求項１６】
コンピュータに、
請求項１１から請求項１４の何れか１項に記載の眼科方法に含まれる各ステップを含む処理を実行させるための眼科プログラム。
【請求項１７】
被検眼の２次元眼底画像と前記被検眼の３次元眼球画像とを含む画面を表示するステップと、
前記２次元眼底画像上で指定された第１領域に対応する、前記３次元眼球画像上の第２領域を求めるステップと、
前記第２領域を示すマークを前記３次元眼球画像上に表示するステップと、
を含む画像表示方法。
【請求項１８】
被検眼の２次元眼底画像と前記被検眼の３次元眼球画像とを含む画面を表示するステップと、
前記３次元眼球画像上で指定された第１領域に対応する、前記２次元眼底画像上の第２領域を求めるステップと、
前記第２領域を示すマークを前記２次元眼底画像に表示するステップと、
を含む画像表示方法。
【請求項１９】
前記第１領域及び前記第２領域は、光干渉断層撮影を行う位置である請求項１７又は請求項１８に記載の画像表示方法。
【請求項２０】
前記第１領域及び前記第２領域は、レーザ治療を行う位置である請求項１７又は請求項１８に記載の画像表示方法。
【請求項２１】
前記２次元眼底画像を画像変換することで前記３次元眼球画像を生成するステップを更に含む請求項１７から請求項２０の何れか１項に記載の画像表示方法。
【請求項２２】
前記２次元眼底画像は、ＳＬＯ眼底画像である請求項１７から請求項２１の何れか１項に記載の画像表示方法。
【請求項２３】
コンピュータに、
被検眼の２次元眼底画像と前記被検眼の３次元眼球画像とを含む画面を表示するステップと、
前記２次元眼底画像上で指定された第１領域に対応する、前記３次元眼球画像上の第２領域を求めるステップと、
前記第２領域を示すマークを前記３次元眼球画像上に表示するステップと、を含む処理を実行させるための画像表示プログラム。
【請求項２４】
コンピュータに、
被検眼の２次元眼底画像と前記被検眼の３次元眼球画像とを含む画面を表示するステップと、
前記３次元眼球画像上で指定された第１領域に対応する、前記２次元眼底画像上の第２領域を求めるステップと、
前記第２領域を示すマークを前記２次元眼底画像に表示するステップと、を含む処理を実行させるための画像表示プログラム。
【請求項２５】
表示部と、
プロセッサと、を含む画像表示装置であって、
前記プロセッサは、
前記表示部に対して被検眼の２次元眼底画像と前記被検眼の３次元眼球画像とを含む画面を表示させ、
前記２次元眼底画像上で指定された第１領域に対応する、前記３次元眼球画像上の第２領域を求め、
前記表示部に対して前記第２領域を示すマークを前記３次元眼球画像上に表示させる
画像表示装置。
【請求項２６】
表示部と、
プロセッサと、を含む画像表示装置であって、
前記プロセッサは、
前記表示部に対して被検眼の２次元眼底画像と前記被検眼の３次元眼球画像とを含む画面を表示させ、
前記３次元眼球画像上で指定された第１領域に対応する、前記２次元眼底画像上の第２領域を求め、
前記表示部に対して前記第２領域を示すマークを前記２次元眼底画像に表示させる
画像表示装置。
【請求項２７】
表示部と、
プロセッサと、
ＯＣＴユニットと、を含む眼科装置であって、
前記プロセッサは、
前記表示部に対して被検眼の２次元眼底画像と前記被検眼の３次元眼球画像とを含む画面を表示させ、
前記２次元眼底画像上で指定された第１領域に対応する、前記３次元眼球画像上の第２領域を求め、
前記表示部に対して前記第２領域を示すマークを前記３次元眼球画像上に表示させ、
前記第１領域に基づいて前記ＯＣＴユニットを制御する
眼科装置。
【請求項２８】
表示部と、
プロセッサと、
ＯＣＴユニットと、を含む眼科装置であって、
前記プロセッサは、
前記表示部に対して被検眼の２次元眼底画像と前記被検眼の３次元眼球画像とを含む画面を表示させ、
前記３次元眼球画像上で指定された第１領域に対応する、前記２次元眼底画像上の第２領域を求め、
前記表示部に対して前記第２領域を示すマークを前記２次元眼底画像に表示させ、
前記第１領域に基づいて前記ＯＣＴユニットを制御する
眼科装置。
【請求項２９】
表示部と、
プロセッサと、
レーザ照射ユニットと、を含むレーザ治療装置であって、
前記プロセッサは、
前記表示部に対して被検眼の２次元眼底画像と前記被検眼の３次元眼球画像とを含む画面を表示させ、
前記２次元眼底画像上で指定された第１領域に対応する、前記３次元眼球画像上の第２領域を求め、
前記表示部に対して前記第２領域を示すマークを前記３次元眼球画像上に表示させ、
前記第１領域に基づいて前記レーザ照射ユニットを制御する
レーザ治療装置。
【請求項３０】
表示部と、
プロセッサと、
レーザ照射ユニットと、を含むレーザ治療装置であって、
前記プロセッサは、
前記表示部に対して被検眼の２次元眼底画像と前記被検眼の３次元眼球画像とを含む画面を表示させ、
前記３次元眼球画像上で指定された第１領域に対応する、前記２次元眼底画像上の第２領域を求め、
前記表示部に対して前記第２領域を示すマークを前記２次元眼底画像に表示させ、
前記第１領域に基づいて前記レーザ照射ユニットを制御する
レーザ治療装置。
【発明の詳細な説明】
【技術分野】
【０００１】
本開示の技術は、眼科装置、眼科方法、眼科プログラム、画像表示方法、画像表示プログラム、画像表示装置、及びレーザ治療装置に関する。
【背景技術】
【０００２】
特許文献１には、表示された眼底観察画像上で断層画像の取得位置を設定する眼科撮影装置が開示されている。一般的に、従来から、断層画像を取得する位置を眼底画像上に表示することが望まれている。
【先行技術文献】
【特許文献】
【０００３】
【特許文献１】米国公開公報ＵＳ２００９／０１１５９６４ａ１
【発明の概要】
【０００４】
本開示の技術の第１態様に係る眼科装置は、被検眼の２次元画像及び３次元画像を取得する取得部と、前記取得部により取得された前記２次元画像内の領域が指定された場合、前記領域を示す第１画像を前記２次元画像上に重畳表示し、前記３次元画像内の前記領域が対応する位置に合わせて前記第１画像を変換した第２画像を前記３次元画像に重畳表示する画像生成部と、を含む。
【０００５】
本開示の技術の第２態様に係る眼科装置は、被検眼の２次元画像及び３次元画像を取得する取得部と、前記取得部により取得された前記３次元画像内の領域が指定された場合、前記領域を示す第１画像を前記３次元画像上に重畳表示し、前記２次元画像内の前記領域が対応する位置に合わせて前記第１画像を変換した第２画像を前記２次元画像に重畳表示する画像生成部と、を含む。
【０００６】
本開示の技術の第３態様に係る眼科装置は、被検眼の２次元画像を取得する取得部と、前記取得部により取得された前記２次元画像内の領域が指定された場合、前記領域を示す第１画像を前記２次元画像上に重畳表示し、前記第１画像が重畳された前記２次元画像を３次元に変換した３次元画像を生成する画像生成部と、を含む。
【０００７】
本開示の技術の第４態様に係る眼科装置は、被検眼の３次元画像を取得する取得部と、前記取得部により取得された前記３次元画像内の領域が指定された場合、前記領域を示す第１画像を前記３次元画像上に重畳表示し、前記第１画像が重畳された前記３次元画像を２次元に変換した２次元画像を生成する画像生成部と、を含む。
【０００８】
本開示の技術の第５態様に係る眼科方法は、被検眼の２次元画像及び３次元画像を取得するステップと、前記２次元画像内の領域が指定された場合、前記領域を示す第１画像を前記２次元画像上に重畳表示するステップと、前記３次元画像内の前記領域が対応する位置に合わせて前記第１画像を変換した第２画像を前記３次元画像に重畳表示するステップと、を含む。
【０００９】
本開示の技術の第６態様に係る眼科方法は、被検眼の２次元画像及び３次元画像を取得するステップと、前記３次元画像内の領域が指定された場合、前記領域を示す第１画像を前記３次元画像上に重畳表示するステップと、前記２次元画像内の前記領域が対応する位置に合わせて前記第１画像を変換した第２画像を前記２次元画像に重畳表示するステップと、を含む。
【００１０】
本開示の技術の第７態様に係る眼科方法は、被検眼の２次元画像を取得するステップと、前記２次元画像内の領域が指定された場合、前記領域を示す第１画像を前記２次元画像上に重畳表示するステップと、前記第１画像が重畳された前記２次元画像を３次元に変換した３次元画像を生成するステップと、を含む。
【００１１】
本開示の技術の第８態様に係る眼科方法は、被検眼の３次元画像を取得するステップと、前記３次元画像内の領域が指定された場合、前記領域を示す第１画像を前記３次元画像上に重畳表示するステップと、前記第１画像が重畳された前記３次元画像を２次元に変換した２次元画像を生成するステップと、を含む。
【００１２】
本開示の技術の第９態様に係る眼科プログラムは、プロセッサ及びメモリを有するコンピュータに含まれる前記メモリに記憶され、かつ、前記プロセッサによって実行される眼科プログラムであって、本開示の技術の第１態様から第４態様の何れか１つの態様に係る眼科装置に含まれる前記取得部及び前記画像生成部として前記コンピュータを機能させるためのプログラムである。
【００１３】
本開示の技術の第９態様に係る眼科プログラムは、コンピュータに、本開示の技術の第５から第８態様の何れか１つの態様に係る眼科方法に含まれる各ステップを含む処理を実行させるための眼科プログラム。
【００１４】
本開示の技術の第１０態様に係る画像表示方法は、被検眼の２次元眼底画像と前記被検眼の３次元眼球画像とを含む画面を表示するステップと、前記２次元眼底画像上で指定された第１領域に対応する、前記３次元眼球画像上の第２領域を求めるステップと、前記第２領域を示すマークを前記３次元眼球画像上に表示するステップと、を含む。
【００１５】
本開示の技術の第１１態様に係る画像表示方法は、被検眼の２次元眼底画像と前記被検眼の３次元眼球画像とを含む画面を表示するステップと、前記３次元眼球画像上で指定された第１領域に対応する、前記２次元眼底画像上の第２領域を求めるステップと、前記第２領域を示すマークを前記２次元眼底画像に表示するステップと、を含む。
【００１６】
本開示の技術の第１２態様に係る画像表示プログラムは、コンピュータに、被検眼の２次元眼底画像と前記被検眼の３次元眼球画像とを含む画面を表示するステップと、前記２次元眼底画像上で指定された第１領域に対応する、前記３次元眼球画像上の第２領域を求めるステップと、前記第２領域を示すマークを前記３次元眼球画像上に表示するステップと、を含む処理を実行させるための画像表示プログラムである。
【００１７】
本開示の技術の第１３態様に係る画像表示プログラムは、コンピュータに、被検眼の２次元眼底画像と前記被検眼の３次元眼球画像とを含む画面を表示するステップと、前記３次元眼球画像上で指定された第１領域に対応する、前記２次元眼底画像上の第２領域を求めるステップと、前記第２領域を示すマークを前記２次元眼底画像に表示するステップと、を含む処理を実行させるための画像表示プログラムである。
【００１８】
本開示の技術の第１４態様に係る画像表示装置は、表示部と、プロセッサと、を含む画像表示装置であって、前記プロセッサは、前記表示部に対して被検眼の２次元眼底画像と前記被検眼の３次元眼球画像とを含む画面を表示させ、前記２次元眼底画像上で指定された第１領域に対応する、前記３次元眼球画像上の第２領域を求め、前記表示部に対して前記第２領域を示すマークを前記３次元眼球画像上に表示させる。
【００１９】
本開示の技術の第１５態様に係る画像表示装置は、表示部と、プロセッサと、を含む画像表示装置であって、前記プロセッサは、前記表示部に対して被検眼の２次元眼底画像と前記被検眼の３次元眼球画像とを含む画面を表示させ、前記３次元眼球画像上で指定された第１領域に対応する、前記２次元眼底画像上の第２領域を求め、前記表示部に対して前記第２領域を示すマークを前記２次元眼底画像に表示させる。
【００２０】
本開示の技術の第１６態様に係る眼科装置は、表示部と、プロセッサと、ＯＣＴユニットと、を含む眼科装置であって、前記プロセッサは、前記表示部に対して被検眼の２次元眼底画像と前記被検眼の３次元眼球画像とを含む画面を表示させ、前記２次元眼底画像上で指定された第１領域に対応する、前記３次元眼球画像上の第２領域を求め、前記表示部に対して前記第２領域を示すマークを前記３次元眼球画像上に表示させ、前記第１領域に基づいて前記ＯＣＴユニットを制御する。
【００２１】
本開示の技術の第１７態様に係る眼科装置は、表示部と、プロセッサと、ＯＣＴユニットと、を含む眼科装置であって、前記プロセッサは、前記表示部に対して被検眼の２次元眼底画像と前記被検眼の３次元眼球画像とを含む画面を表示させ、前記３次元眼球画像上で指定された第１領域に対応する、前記２次元眼底画像上の第２領域を求め、前記表示部に対して前記第２領域を示すマークを前記２次元眼底画像に表示させ、前記第１領域に基づいて前記ＯＣＴユニットを制御する。
【００２２】
本開示の技術の第１８態様に係るレーザ治療装置は、表示部と、プロセッサと、レーザ照射ユニットと、を含むレーザ治療装置であって、前記プロセッサは、前記表示部に対して被検眼の２次元眼底画像と前記被検眼の３次元眼球画像とを含む画面を表示させ、前記２次元眼底画像上で指定された第１領域に対応する、前記３次元眼球画像上の第２領域を求め、前記表示部に対して前記第２領域を示すマークを前記３次元眼球画像上に表示させ、前記第１領域に基づいて前記レーザ照射ユニットを制御する。
【００２３】
本開示の技術の第１９態様に係るレーザ治療装置は、表示部と、プロセッサと、レーザ照射ユニットと、を含むレーザ治療装置であって、前記プロセッサは、前記表示部に対して被検眼の２次元眼底画像と前記被検眼の３次元眼球画像とを含む画面を表示させ、前記３次元眼球画像上で指定された第１領域に対応する、前記２次元眼底画像上の第２領域を求め、前記表示部に対して前記第２領域を示すマークを前記２次元眼底画像に表示させ、前記第１領域に基づいて前記レーザ照射ユニットを制御する。
【図面の簡単な説明】
【００２４】
【図１】眼科システムの全体構成を示す概念図である。
【図２】眼科システムに含まれる眼科装置の概略構成を示すブロック図である。
【図３】図２に示す眼科装置に含まれるＣＰＵの機能を示すブロック図である。
【図４】眼科システムに含まれる眼科装置の撮影光学系の要部構成を示す概略構成図である。
【図５】眼科システムに含まれる管理サーバの構成を示すブロック図である。
【図６】図５に示す管理サーバに含まれるＣＰＵの機能を示すブロック図である。
【図７】眼軸長測定装置、眼科装置、管理サーバ、及び画像ビューワの間での各種情報の授受の態様の一例を示すシーケンス図である。
【図８】表示制御処理の流れを示すフローチャートである。
【図９】画像ビューワのディスプレイに表示された状態の被検眼確認画面に含まれるＳＬＯ画像表示画面及び３次元画像表示画面を示す図である。
【図１０】表示制御処理に含まれる指定部位観察処理の流れを示すフローチャートである。
【図１１Ａ】画像ビューワのディスプレイに表示された状態の被検眼確認画面の表示内容を示す概念図である。図１１Ａ１は、ＳＬＯ画像表示画面及び３次元画像表示画面の表示内容を示す概念図である。図１１Ａ２は、被検眼確認画面に表示される３次元ＯＣＴ画像を示す概念図である。
【図１１Ｂ】画像ビューワのディスプレイに表示された状態の被検眼確認画面の表示内容を示す概念図である。図１１Ｂ１は、ＳＬＯ画像表示画面及び３次元画像表示画面の表示内容を示す概念図である。図１１Ｂ２は、被検眼確認画面に表示される断層画像を示す概念図である。
【図１１Ｃ】画像ビューワのディスプレイに表示された状態の被検眼確認画面の表示内容を示す概念図である。
【図１２Ａ】画像ビューワのディスプレイに表示された状態の被検眼確認画面を示す図であって、ＳＬＯ画像表示画面を拡大し、３次元画像表示画面を縮小した被検眼確認画面を示す図である。
【図１２Ｂ】画像ビューワのディスプレイに表示された状態の被検眼確認画面を示す図であって、ＳＬＯ画像表示画面を縮小し、３次元画像表示画面を拡大した被検眼確認画面を示す図である。
【図１３】画像ビューワのディスプレイに表示された状態の被検眼確認画面を示す図である。
【図１４Ａ】画像ビューワのディスプレイに表示された状態の被検眼確認画面を示す図であって、ＳＬＯ眼底画像表示画面、３次元画像表示画面、及びＯＣＴ画像表示画面を示す図である。
【図１４Ｂ】画像ビューワのディスプレイに表示された状態の被検眼確認画面を示す図であって、被検眼確認画面内においてＯＣＴ画像表示画面が拡大された状態を示す図である。
【図１５Ａ】画像ビューワのディスプレイに表示された状態の被検眼確認画面を示す画面図であって、ＯＣＴのＢスキャン位置として線状の２次元変換対象領域が表示された状態を示す図である。
【図１５Ｂ】画像ビューワのディスプレイに表示された状態の被検眼確認画面を示す画面図であって、ＯＣＴのＣスキャン位置として矩形状の２次元変換対象領域が表示された状態を示す図である。
【図１６】画像ビューワのディスプレイに表示された状態の被検眼確認画面を示す図である。
【図１７】２Ｄ／３Ｄ表示画面生成処理の流れを示すフローチャートである。
【図１８】２Ｄ／３Ｄ表示画面を示す図である。
【図１９Ａ】２Ｄ／３Ｄ表示画面を示す図であって、２Ｄ／３Ｄ表示画面において、ＵＷＦＳＬＯ眼底画像が拡大表示され、３次元画像が縮小表示された状態を示す図である。
【図１９Ｂ】２Ｄ／３Ｄ表示画面を示す図であって、２Ｄ／３Ｄ表示画面において、ＵＷＦＳＬＯ眼底画像が縮小表示され、３次元画像が拡大表示された状態を示す図である。
【図２０】２Ｄ／３Ｄ表示画面を示す図である。
【図２１】ＯＣＴ表示画面生成処理の流れを示すフローチャートである。
【図２２】ＯＣＴ表示画面を示す図である。
【図２３】眼科システムに含まれるレーザ治療装置の構成を示すブロック図である。
【図２４】眼科システムに含まれる画像ビューワの構成を示すブロック図である。
【図２５】図２４に示す画像ビューワに含まれるＣＰＵの機能を示すブロック図である。
【発明を実施するための形態】
【００２５】
［第１実施形態］
図１を参照して、眼科システム１００の構成を説明する。図１に示すように、眼科システム１００は、眼科装置１１０と、眼軸長測定装置１２０と、管理サーバ装置（以下、「管理サーバ」という）１４０と、画像表示装置（以下、「画像ビューワ」という）１５０と、レーザ治療装置１３５と、を備えている。眼科装置１１０は、眼底画像を取得する。眼軸長測定装置１２０は、患者の眼軸長を測定する。管理サーバ１４０は、眼科装置１１０によって複数の患者の眼底が撮影されることにより得られた複数の眼底画像、眼軸長、及び断層画像を、患者のＩＤに対応して記憶する。画像ビューワ１５０は、管理サーバ１４０から取得した眼底画像を表示する。レーザ治療装置１３５は、患者の被検眼に対してレーザ治療を行う。レーザ治療としては、眼底の領域に対して特殊な波長のレーザ光を照射するレーザ光凝固又は光線力学的療法等が挙げられる。
【００２６】
眼科装置１１０、眼軸長測定装置１２０、管理サーバ１４０、画像ビューワ１５０は、ネットワーク１３０を介して、相互に接続されている。
【００２７】
眼軸長測定装置１２０は、被検眼１２の眼軸方向の長さである眼軸長を測定する第１のモードと第２のモードとの２つの眼軸長測定モードを有する。第１のモードは、図示しない光源からの光を被検眼１２に導光した後、眼底からの反射光と角膜からの反射光との干渉光を受光し、受光した干渉光を示す干渉信号に基づいて眼軸長を測定するモードである。第２のモードは、図示しない超音波を用いて眼軸長を測定するモードである。
【００２８】
眼軸長測定装置１２０は、第１のモード又は第２のモードにより測定された眼軸長を管理サーバ１４０に送信する。第１のモード及び第２のモードにより眼軸長を測定してもよく、この場合には、双方のモードで測定された眼軸長の平均値を眼軸長として管理サーバ１４０に送信する。
【００２９】
次に、図２を参照して、眼科装置１１０の構成を説明する。なお、本明細書では、説明の便宜上、走査型レーザ検眼鏡（Ｓｃａｎｎｉｎｇ  Ｌａｓｅｒ  Ｏｐｈｔｈａｌｍｏｓｃｏｐｅ）を「ＳＬＯ」と称する。また、光干渉断層計（Ｏｐｔｉｃａｌ  Ｃｏｈｅｒｅｎｃｅ  Ｔｏｍｏｇｒａｐｈｙ）を「ＯＣＴ」と称する。
【００３０】
眼科装置１１０は、撮影装置１４及び制御装置１６を含む。撮影装置１４は、ＳＬＯユニット１８、撮影光学系１９、及びＯＣＴユニット２０を備えており、被検眼１２の眼底を示す眼底画像を取得する。以下、ＳＬＯユニット１８により取得された二次元眼底画像をＳＬＯ眼底画像と称する。また、ＯＣＴユニット２０により取得されたＯＣＴデータに基づいて作成された網膜の断層画像や正面画像（ｅｎ−ｆａｃｅ画像）などをＯＣＴ画像と称する。
【００３１】
制御装置１６は、ＣＰＵ（Ｃｅｎｔｒａｌ  Ｐｒｏｃｅｓｓｉｎｇ  Ｕｎｉｔ）１６Ａ、ＲＡＭ（Ｒａｎｄｏｍ  Ａｃｃｅｓｓ  Ｍｅｍｏｒｙ）１６Ｂ、ＲＯＭ（Ｒｅａｄ−Ｏｎｌｙ  ｍｅｍｏｒｙ）１６Ｃ、及び入出力（Ｉ／Ｏ）ポート１６Ｄを有するコンピュータを備えている。
【００３２】
制御装置１６は、Ｉ／Ｏポート１６Ｄを介してＣＰＵ１６Ａに接続された入力／表示装置１６Ｅを備えている。入力／表示装置１６Ｅは、被検眼１２の画像を表示したり、ユーザから各種指示を受け付けたりするグラフィックユーザインターフェースを有する。グラフィックユーザインターフェースとしては、タッチパネル・ディスプレイが挙げられる。
【００３３】
また、制御装置１６は、Ｉ／Ｏポート１６Ｄに接続された画像処理装置１７を備えている。画像処理装置１７は、撮影装置１４によって得られたデータに基づき被検眼１２の画像を生成する。なお、制御装置１６は、図示しない通信インターフェースを介してネットワーク１３０に接続される。
【００３４】
ここで、図３を参照して、制御装置１６のＣＰＵ１６Ａが処理プログラムを実行することで実現される各種機能について説明する。処理プログラムは、ＲＯＭ１６ＣまたはＲＡＭ１６Ｂに記憶されており、初期設定時あるいは起動時に読みだされる。なお、図示しない記憶装置（ハードディスク等）を備え、処理プログラムは、図示しない記憶装置に記憶され、初期設定時あるいは起動時に読みだされるようにしてもよい。
【００３５】
処理プログラムは、撮影制御機能、表示制御機能、画像処理機能、及び処理機能を備えている。ＣＰＵ１６Ａがこれらの各機能を有する処理プログラムを実行することで、ＣＰＵ１６Ａは、図３に示すように、撮影制御部２０２、表示制御部２０４、画像処理部２０６、及び処理部２０８として機能する。
【００３６】
上記のように、図２では、眼科装置１１０の制御装置１６が入力／表示装置１６Ｅを備えているが、本開示の技術はこれに限定されない。例えば、眼科装置１１０の制御装置１６は入力／表示装置１６Ｅを備えず、眼科装置１１０とは物理的に独立した別個の入力/表示装置を備えるようにしてもよい。この場合、当該表示装置は、制御装置１６のＣＰＵ１６Ａの表示制御部２０４の制御下で動作する画像処理プロセッサユニットを備え、画像処理プロセッサユニットが、表示制御部２０４が出力指示した画像信号に基づいて、ＳＬＯ眼底画像等を表示するようにしてもよい。
【００３７】
撮影装置１４は、制御装置１６の撮影制御部２０２の制御下で作動する。撮影装置１４は、ＳＬＯユニット１８、撮影光学系１９、及びＯＣＴユニット２０を含む。撮影光学系１９は、第１光学スキャナ２２、第２光学スキャナ２４、及び広角光学系３０を含む。
【００３８】
第１光学スキャナ２２は、ＳＬＯユニット１８から射出された光をＸ方向、及びＹ方向に２次元走査する。第２光学スキャナ２４は、ＯＣＴユニット２０から射出された光をＸ方向、及びＹ方向に２次元走査する。第１光学スキャナ２２及び第２光学スキャナ２４は、光束を偏向できる光学素子であればよく、例えば、ポリゴンミラーや、ガルバノミラー等を用いることができる。また、それらの組み合わせであってもよい。
【００３９】
広角光学系３０は、共通光学系２８を有する対物光学系（図２では不図示）、及びＳＬＯユニット１８からの光とＯＣＴユニット２０からの光を合成する合成部２６を含む。
【００４０】
なお、共通光学系２８の対物光学系は、楕円鏡などの凹面ミラーを用いた反射光学系や、広角レンズなどを用いた屈折光学系、あるいは、凹面ミラーやレンズを組み合わせた反射屈折光学系でもよい。楕円鏡や広角レンズなどを用いた広角光学系を用いることにより、眼底中心部だけでなく眼底周辺部の網膜を撮影することが可能となる。
【００４１】
楕円鏡を含むシステムを用いる場合には、国際出願ＰＣＴ／ＪＰ２０１４／０８４６１９や国際出願ＰＣＴ／ＪＰ２０１４／０８４６３０に記載された楕円鏡を用いたシステムを用いる構成でもよい。２０１４年１２月２６日に国際出願された国際出願ＰＣＴ／ＪＰ２０１４／０８４６１９（国際公開ＷＯ２０１６／１０３４８４）の開示及び２０１４年１２月２６日に国際出願された国際出願ＰＣＴ／ＪＰ２０１４／０８４６３０（国際公開ＷＯ２０１６／１０３４８９）の開示の各々は、その全体が参照により本明細書に取り込まれる。
【００４２】
広角光学系３０によって、眼底において広い視野（ＦＯＶ：Ｆｉｅｌｄ  ｏｆ  Ｖｉｅｗ）１２Ａでの観察が実現される。ＦＯＶ１２Ａは、撮影装置１４によって撮影可能な範囲を示している。ＦＯＶ１２Ａは、視野角として表現され得る。視野角は、本実施の形態において、内部照射角と外部照射角とで規定され得る。外部照射角とは、眼科装置１１０から被検眼１２へ照射される光束の照射角を、瞳孔２７を基準として規定した照射角である。また、内部照射角とは、眼底Ｆへ照射される光束の照射角を、眼球中心Ｏを基準として規定した照射角である。外部照射角と内部照射角とは、対応関係にある。例えば、外部照射角が１２０度の場合、内部照射角は約１６０度に相当する。本実施の形態では、内部照射角は２００度としている。
【００４３】
ここで、内部照射角で１６０度以上の撮影画角で撮影されて得られたＳＬＯ眼底画像をＵＷＦＳＬＯ眼底画像と称する。なお、ＵＷＦとは、ＵｌｔｒａＷｉｄｅ  Ｆｉｅｌｄ（超広角）の略称を指す。
【００４４】
ＳＬＯシステムは、図２に示す制御装置１６、ＳＬＯユニット１８、及び撮影光学系１９によって実現される。ＳＬＯシステムは、広角光学系３０を備えるため、広いＦＯＶ１２Ａでの眼底撮影を可能とする。
【００４５】
ＳＬＯユニット１８は、Ｇ光（緑色光）の光源４２、Ｒ光（赤色光）の光源４４、及びＩＲ光（赤外線（例えば、近赤外光））の光源４６と、光源４２，４４，４６からの光を、反射又は透過して１つの光路に導く光学系５０，５２，５４，５６とを備えている。光学系５０，５６は、ミラーであり、光学系５２、５４は、ビームスプリッタ―である。Ｇ光は、光学系５０，５４で反射し、Ｒ光は、光学系５２，５４を透過し、ＩＲ光は、光学系５２，５６で反射して、それぞれ１つの光路に導かれる。
【００４６】
ＳＬＯユニット１８は、Ｒ光及びＧ光を発するモードと、赤外線を発するモードなど、発光させる光源あるいは発光させる光源の組合せを切り替え可能に構成されている。図２では、Ｇ光の光源４２、Ｒ光の光源４４、及びＩＲ光の光源４６の３つの光源を備えるが、本開示の技術は、これに限定されない。例えば、ＳＬＯユニット１８は、更に、Ｂ光（青色光）の光源や白色光の光源を更に備え、Ｇ光、Ｒ光、及びＢ光を発するモードや、白色光のみを発するモード等の種々のモードで光を発するようにしてもよい。
【００４７】
ＳＬＯユニット１８から撮影光学系１９に入射された光は、第１光学スキャナ２２によってＸ方向およびＹ方向に走査される。走査光は広角光学系３０および瞳孔２７を経由して、眼底に照射される。眼底により反射された反射光は、広角光学系３０および第１光学スキャナ２２を経由してＳＬＯユニット１８へ入射される。
【００４８】
ＳＬＯユニット１８は、被検眼１２の後眼部（眼底）からの光の内、Ｇ光を反射し且つＧ光以外を透過するビームスプリッタ５８を備えている。ＳＬＯユニット１８は、ビームスプリッタ５８を透過した光の内、Ｒ光を反射し且つＲ光以外を透過するビームスプリッタ６０を備えている。ＳＬＯユニット１８は、ビームスプリッタ６０を透過した光の内、ＩＲ光を反射するビームスプリッタ６２を備えている。ＳＬＯユニット１８は、ビームスプリッタ５８により反射したＧ光を検出するＧ光検出素子７２、ビームスプリッタ６０により反射したＲ光を検出するＲ光検出素子７４、及びビームスプリッタ６２により反射したＩＲ光を検出するＩＲ光検出素子７６を備えている。
【００４９】
広角光学系３０および第１光学スキャナ２２を経由してＳＬＯユニット１８へ入射された光（眼底により反射された反射光）は、Ｇ光の場合、ビームスプリッタ５８で反射してＧ光検出素子７２により受光される。上記入射された光は、Ｒ光の場合、ビームスプリッタ５８を透過し、ビームスプリッタ６０で反射してＲ光検出素子７４により受光される。上記入射された光は、ＩＲ光の場合、ビームスプリッタ５８，６０を透過し、ビームスプリッタ６２で反射してＩＲ光検出素子７６により受光される。画像処理部２０６の制御下で動作する画像処理装置１７は、Ｇ光検出素子７２、Ｒ光検出素子７４、及びＩＲ光検出素子７６で検出された信号に基づいてＳＬＯ眼底画像を生成する。
【００５０】
ＯＣＴシステムは、図２に示す制御装置１６、ＯＣＴユニット２０、及び撮影光学系１９によって実現される。ＯＣＴシステムは、広角光学系３０を備えるため、上述したＳＬＯ眼底画像の撮影と同様に、広いＦＯＶ１２Ａでの眼底撮影を可能とする。ＯＣＴユニット２０は、光源２０Ａ、センサ（検出素子）２０Ｂ、第１の光カプラ２０Ｃ、参照光学系２０Ｄ、コリメートレンズ２０Ｅ、及び第２の光カプラ２０Ｆを含む。
【００５１】
光源２０Ａから射出された光は、第１の光カプラ２０Ｃで分岐される。分岐された一方の光は、測定光として、コリメートレンズ２０Ｅで平行光にされた後、撮影光学系１９に入射される。測定光は、第２光学スキャナ２４によってＸ方向およびＹ方向に走査される。走査光は広角光学系３０および瞳孔２７を経由して、眼底に照射される。眼底により反射された測定光は、広角光学系３０および第２光学スキャナ２４を経由してＯＣＴユニット２０へ入射され、コリメートレンズ２０Ｅ及び第１の光カプラ２０Ｃを介して、第２の光カプラ２０Ｆに入射する。
【００５２】
光源２０Ａから射出され、第１の光カプラ２０Ｃで分岐された他方の光は、参照光として、参照光学系２０Ｄへ入射され、参照光学系２０Ｄを経由して、第２の光カプラ２０Ｆに入射する。
【００５３】
第２の光カプラ２０Ｆに入射されたこれらの光、即ち、眼底で反射された測定光と、参照光とは、第２の光カプラ２０Ｆで干渉されて干渉光を生成する。干渉光はセンサ２０Ｂで受光される。画像処理部２０６の制御下で動作する画像処理装置１７は、センサ２０Ｂで検出されたＯＣＴデータに基づいて断層画像やｅｎ−ｆａｃｅ画像などのＯＣＴ画像を生成する。
【００５４】
なお、本実施形態では、光源２０Ａが波長掃引タイプのＳＳ−ＯＣＴ（Ｓｗｅｐｔ−Ｓｏｕｒｃｅ  ＯＣＴ）を例示するが、ＳＤ−ＯＣＴ（Ｓｐｅｃｔｒａｌ−Ｄｏｍａｉｎ  ＯＣＴ）、ＴＤ−ＯＣＴ（Ｔｉｍｅ−Ｄｏｍａｉｎ  ＯＣＴ）など、様々な方式のＯＣＴシステムであってもよい。
【００５５】
次に、図４を参照して、眼科装置１１０に含まれる撮影光学系１９の詳細構成を説明する。図４に示すように、共通光学系２８は、楕円鏡３０，３２と、両者の間に配置された第３光学スキャナ２９と、を含む。楕円鏡３０，３２も共に所謂回転楕円面の反射面３０Ａ，３２Ａを有している。回転楕円面は、楕円に固有の２つの焦点を結ぶ軸を中心に回転して形成される面であり、図４では、共に楕円の一部として示されている。
【００５６】
上述の通り、第１光学スキャナ２２及び第２光学スキャナ２４はそれぞれの光線をＹ方向（図の紙面内）で走査するため、楕円鏡３０はＹ方向の走査光のみを反射するためにＸ方向での幅は小さくてよい。このため、楕円鏡３０はＹ方向に延びた細長い形状であり、スリットミラーと呼ばれている。一方、楕円鏡３２では第３光学スキャナ２９によりＸ方向（図の紙面に垂直な面内）の走査が追加されるため、楕円鏡３２のＸ方向の幅は第３光学スキャナ２９のＸ方向での走査光を受容するのに必要な幅を有している。図４では、ダイクロイックミラーなどの合成部２６及び楕円鏡３０，３２は側面視断面図として表されているが、相互間の位置は配置の順序を示す目的であるため正確ではない。
【００５７】
楕円鏡３０の楕円反射面３０Ａは、第１焦点Ｐ１及び第２焦点Ｐ２を有する。第１光学スキャナ２２及び第２光学スキャナ２４はダイクロイックミラーなどの合成部２６を介してそれぞれ第１焦点Ｐ１に一致して配置されている。また、第２焦点Ｐ２には、第３光学スキャナ２９が配置されている。そして、楕円鏡３２の楕円反射面３２Ａも２つの焦点Ｐ３,Ｐ４を有し、焦点Ｐ３はスリットミラーの楕円反射面の第２焦点Ｐ２に一致しており、焦点Ｐ４の位置には被検眼１２の瞳孔中心が位置するように構成されている。従って、第１光学スキャナ２２、第２光学スキャナ２４、及び第３光学スキャナ２９は、それぞれ被検眼１２の瞳孔の中心部と共役な位置関係になるように構成されている。このような２つの楕円鏡３０，３２並びに３つの光学スキャナ２２,２４,２９の組み合わせた撮影光学系１９により、ＳＬＯにおいてもＯＣＴにおいても極めて広い外部照射角の光線によって眼底を走査することが可能となっている。
【００５８】
なお、共通光学系２８を達成するためには上述のとおり楕円鏡を用いることが大変有効である。楕円鏡は必ずしも２枚設ける必要はなく、１枚の構成とすることも可能である。例として、国際公開公報  ＷＯ２０１６／１０３４８４やＷＯ２０１６／１０３４８９に開示されている構成を用いてもよい。
【００５９】
次に、図５を参照して、管理サーバ１４０の構成を説明する。図５に示すように、管理サーバ１４０は、制御ユニット１６０、及び表示／操作ユニット１７０を備えている。制御ユニット１６０は、ＣＰＵ１６２を含むコンピュータ、記憶装置であるメモリ１６４、及び通信インターフェース（Ｉ／Ｆ）１６６等を備えている。表示／操作ユニット１７０は、画像を表示したり、各種指示を受け付けたりするグラフィックユーザインターフェースであり、ディスプレイ１７２及びタッチパネルなどの入力／指示デバイス１７４を備えている。
【００６０】
画像ビューワ１５０は、基本的に管理サーバ１４０と同様のハードウェア資源を有している。図２４に示すように、画像ビューワ１５０において、制御ユニット１６０Ａは、図５に示す制御ユニット１６０に対応しており、表示／操作ユニット１７０Ａは、図５に示す表示／操作ユニット１７０に対応している。また、図２４に示すように、制御ユニット１６０Ａにおいて、ＣＰＵ１６２Ａは、図５に示すＣＰＵ１６２に対応しており、メモリ１６４Ａは、図５に示すメモリ１６４に対応しており、通信Ｉ／Ｆ１６６Ａは、図５に示す通信Ｉ／Ｆ１６６に対応している。更に、図２４に示すように、表示／操作ユニット１７０Ａにおいて、ディスプレイ１７２Ａは、図５に示すディスプレイ１７２に対応しており、入力／指示デバイス１７４Ａは、図５に示す入力／指示デバイス１７４に対応している。
【００６１】
図２５に示すようにＣＰＵ１６２Ａにおいて、画像処理部１８２Ａは、図６に示す画像処理部１８２に対応しており、表示制御部１８４Ａは、図６に示す表示制御部１８４に対応しており、処理部１８６Ａは、図６に示す処理部１８６に対応している。
【００６２】
なお、画像ビューワ１５０は、本開示の技術に係る眼科装置及び画像表示装置の一例である。制御ユニット１６０Ａは、本開示の技術に係るコンピュータの一例である。ディスプレイ１７２Ａは、本開示の技術に係る表示部の一例である。また、メモリ１６４Ａは、制御プログラムを記憶している。メモリ１６４Ａに記憶されている制御プログラムは、本開示の技術に係る眼科プログラム及び画像表示プログラムの一例である。
【００６３】
次に、図６を参照して、ＣＰＵ１６２Ａが制御プログラムを実行することで実現される各種機能について説明する。制御プログラムは、画像処理機能、表示制御機能、及び処理機能を備えている。ＣＰＵ１６２Ａがこの各機能を有する制御プログラムを実行することで、ＣＰＵ１６２Ａは、図２５に示すように、画像処理部１８２Ａ、表示制御部１８４Ａ、及び処理部１８６Ａとして機能する。
【００６４】
記憶装置１５４は、患者毎に患者データを記憶している。ここで言う「患者」は、上述した被検者の一例である。患者データは、患者を特定する患者ＩＤと、２次元画像を示す２次元画像データと、３次元画像を示す３次元画像データと、位置対応情報とを含むデータである。なお、以下では、説明の便宜上、２次元画像データを２Ｄ画像データとも称する。また、以下では、説明の便宜上、３次元画像データを３Ｄ画像データとも称する。
【００６５】
位置対応情報は、２次元画像内の全画素の各々について、２次元画像の画素の位置を示す２次元位置情報が、３次元画像内の対応する画素の位置を示す３次元位置情報に対応付けられた情報である。
【００６６】
図２５に示す処理部１８６Ａは、ＣＰＵ１６２Ａを、画像処理部１８２Ａ及び表示制御部１８４として動作させるために必要な処理を行う。画像処理部１８２Ａは、本開示の技術に係る「取得部」の一例である。また、画像処理部１８２Ａ及び表示制御部１８４は、本開示の技術に係る「画像生成部」の一例である。
【００６７】
画像処理部１８２Ａは、２次元画像及び３次元画像を取得する。表示制御部１８４Ａは、２次元画像内の２次元変換対象領域が指定された場合、２次元変換対象領域を示す２次元変換対象領域画像を２次元画像上に重畳表示する。ここで、「２次元変換対象領域」は、本開示の技術に係る「領域」の一例であり、上述した「２次元変換対象領域画像」は、本開示の技術に係る「第１画像」の一例である。また、以下では、説明の便宜上、上述した２次元変換対象領域画像と後述の３次元変換対象領域画像とを区別して説明する必要がない場合、「変換対象領域画像」と称する。
【００６８】
そして、表示制御部１８４Ａは、３次元画像内の２次元変換対象領域が対応する位置に合わせて２次元変換対象領域画像を変換した３次元加工画像を３次元画像に重畳表示する。このように、３次元画像内の２次元変換対象領域が対応する位置に合わせて２次元変換対象領域画像が変換されるので、３次元加工画像は、３次元画像内の２次元変換対象領域が対応する位置の幾何特性に合った画像になる。ここで言う「３次元加工画像」は、本開示の技術に係る「第２画像」の一例である。また、以下では、説明の便宜上、上述した２次元変換対象領域と後述の３次元変換対象領域とを区別して説明する必要がない場合、「変換対象領域」と称する。
【００６９】
なお、明細書において、「重畳表示」とは、一方の画像に対して他方の画像を重ねた表示を意味する他に、一方の画像の表示領域内に他方の画像を埋め込んだ表示も意味する。
【００７０】
表示制御部１８４Ａは、第１既定条件又は第２既定条件を満足した場合に、回転表示を指示する回転表示指示信号をディスプレイ１７２Ａに出力することで、３次元画像を回転表示させて３次元加工画像を視認可能な位置に表示させる。すなわち、換言すると、表示制御部１８４Ａは、第１既定条件又は第２既定条件を満足した場合に、３次元加工画像を視認可能な位置に表示させるように、３次元画像を回転表示させる制御をディスプレイ１７２Ａに対して行う。
【００７１】
なお、第１既定条件とは、３次元加工画像の大きさが閾値を超えたとの条件を指す。閾値とは、３次元加工画像を反映させた形態で３次元画像が表示された場合に、ユーザがディスプレイ１７２Ａを通して、３次元加工画像の全貌を正面側から視認することができなくなる３次元加工画像の大きさの下限値として予め定められた値を指す。閾値は、実機による試験及び／又はコンピュータ・シミュレーション等によって得られた値である。ここで言う「３次元加工画像の大きさ」の概念には、３次元加工画像の面積及び長さの各々が含まれる。
【００７２】
また、第２既定条件とは、３次元加工画像の位置が所定範囲から外れたとの条件を指す。所定範囲とは、３次元加工画像を反映させた形態で３次元画像が表示された場合に、ユーザがディスプレイ１７２Ａを通して、３次元加工画像の全貌を正面側から視認することができる範囲として予め定められた範囲を指す。所定範囲は、実機による試験及び／又はコンピュータ・シミュレーション等によって得られた範囲である。
【００７３】
一方、表示制御部１８４Ａは、３次元画像内の３次元変換対象領域が指定された場合、３次元変換対象領域を示す３次元変換対象領域画像を３次元画像上に重畳表示する。ここで、「３次元変換対象領域」は、本開示の技術に係る「領域」の一例であり、上述した「３次元変換対象領域画像」は、本開示の技術に係る「第１画像」の一例である。
【００７４】
そして、表示制御部１８４Ａは、２次元画像内の３次元変換対象領域が対応する位置に合わせて３次元変換対象領域画像を変換した２次元加工画像を２次元画像に重畳表示する。このように、２次元画像内の３次元変換対象領域が対応する位置に合わせて３次元変換対象領域画像が変換されるので、２次元加工画像は、２次元画像内の３次元変換対象領域が対応する位置の幾何特性に合った画像になる。ここで言う「２次元加工画像」は、本開示の技術に係る「第２画像」の一例である。
【００７５】
なお、以下では、説明の便宜上、上述した２次元加工画像と上述した３次元加工画像とを区別して説明する必要がない場合、「加工画像」と称する。また、以下では、説明の便宜上、２次元加工画像を示す信号を「２次元加工画像信号」と称し、３次元加工画像を示す信号を「３次元加工画像信号」と称する。また、以下では、「２次元加工画像信号」と「３次元加工画像信号」とを区別して説明する必要がない場合、「加工画像信号」と称する。また、以下では、２次元変換対象領域が指定される２次元画像を「指定対象２次元画像」と称し、３次元変換対象領域が指定される３次元画像を「指定対象３次元画像」と称する。「指定対象２次元画像」と「指定対象３次元画像」とを区別して説明する必要がない場合、「指定対象画像」と称する。
【００７６】
表示制御部１８４Ａは、ディスプレイ１７２Ａに対して２次元画像と３次元画像とを視覚的に対比可能に並べて表示させる。すなわち、換言すると、表示制御部１８４Ａは、２次元画像と３次元画像とが視覚的に対比可能に並べてディスプレイ１７２Ａに表示されるようにディスプレイ１７２Ａを制御する。
【００７７】
表示制御部１８４Ａは、２次元画像及び３次元画像の各々の表示面積を変更する変更指示が与えられた場合に、変更指示に応じて表示面積の変更を指示する変更指示信号をディスプレイ１７２Ａに出力することで、ディスプレイ１７２Ａに対して２次元画像及び３次元画像の各々の表示面積を変更させる。すなわち、換言すると、ＣＰＵ１６２Ａは、変更指示が与えられた場合に、ディスプレイ１７２Ａ内で２次元画像及び３次元画像の各々の表示面積が変更されるようにディスプレイ１７２Ａを制御する。
【００７８】
表示制御部１８４Ａは、ディスプレイ１７２Ａに対して２次元画像、３次元画像、及びＯＣＴ画像を視覚的に対比可能に並べて表示させる。すなわち、換言すると、表示制御部１８４Ａは、ディスプレイ１７２Ａに２次元画像、３次元画像、及びＯＣＴ画像が視覚的に対比可能に並べて表示されるようにディスプレイ１７２Ａを制御する。
【００７９】
なお、ＯＣＴ画像は、本開示の技術に係る断層画像の一例である。また、ＯＣＴ画像信号とは、被検眼１２のうちの加工画像に対応する位置に対するＯＣＴによる撮影が行われて得られたＯＣＴ画像を示す信号を指す。また、変換対象領域が線状の場合、ＯＣＴ画像は２次元ＯＣＴ画像であり、変換対象領域が面状の場合、ＯＣＴ画像は３次元ＯＣＴ画像である。２次元ＯＣＴ画像とは、眼科装置１１０によって所謂Ｂスキャンが行われて得られたＢスキャン画像を指し、３次元ＯＣＴ画像とは、例えば、眼科装置１１０によって所謂Ｃスキャンが行われて得られたＣスキャン画像を指す。
【００８０】
表示制御部１８４Ａは、ＯＣＴ画像に対する拡大表示指示が与えられた場合に、拡大表示指示に応じてＯＣＴ画像の拡大表示を指示する拡大表示指示信号をディスプレイ１７２Ａに出力することで、ディスプレイ１７２Ａに対してＯＣＴ画像を拡大表示させる。すなわち、換言すると、表示制御部１８４Ａは、ＯＣＴ画像に対する拡大表示指示が与えられた場合に、ディスプレイ１７２ＡにＯＣＴ画像が拡大表示されるようにディスプレイ１７２Ａを制御する。なお、ＯＣＴ画像に対する拡大表示指示とは、ディスプレイ１７２Ａに対してＯＣＴ画像を拡大して表示させる指示を指す。
【００８１】
表示制御部１８４Ａは、加工画像信号をディスプレイ１７２Ａに出力することで、加工画像の位置にレーザ照射位置マークが反映された形態で第２画像をディスプレイ１７２Ａに対して表示させる。すなわち、換言すると、表示制御部１８４Ａは、レーザ照射位置マークを反映させた形態で加工画像がディスプレイ１７２Ａに表示されるようにディスプレイ１７２Ａを制御する。レーザ照射位置マークは、画像処理部１８２Ａによって生成される。なお、レーザ照射位置マークとは、手術用レーザの照射位置のパターンを指す。手術用レーザとは、被検眼１２に対するレーザ手術で用いられるレーザを指す。
【００８２】
画像処理部１８２Ａは、指定対象画像から血管領域又は無血管領域を検出する。本実施形態では、画像処理部１８２Ａでの検出結果に基づいて血管領域が変換対象領域として指定される。本実施形態において、血管領域とは、新生血管領域を意味する。ここで、無血管領域とは、被検眼１２の眼底において、無血管な領域又は血管が粗な領域を指す。血管領域又は無血管領域（ＡＶＡ（ａｖａｓｃｕｌａｒ  ａｒｅａ））は、画像処理部１８２Ａにより、第１画像から無灌流領域（ＮＰＡ（Ｎｏｎ  Ｐｅｒｆｕｓｉｏｎ  Ａｒｅａ））が特定されることで検出される。なお、無灌流領域とは、眼底において、網膜毛細血管床の閉塞等により、血液が流れていない又は殆ど流れていない領域を指す。
【００８３】
図２３に示すように、レーザ治療装置１３５は、管理サーバ１４０に比べ、制御ユニット１６０に代えて制御ユニット１６０Ｂを有する点、及び表示／操作ユニット１７０に代えて表示／操作ユニット１７０Ｂを有する点が異なる。
【００８４】
制御ユニット１６０Ｂは、図５に示す制御ユニット１６０に比べ、レーザ照射ユニット１３５Ａを有する点が異なる。制御ユニット１６０Ｂは、レーザ照射ユニット１３５Ａを有する点を除いて、基本的に図５に示す制御ユニット１６０と同様のハードウェア資源を有している。制御ユニット１６０Ｂにおいて、ＣＰＵ１６２Ｂは、図５に示すＣＰＵ１６２に対応しており、メモリ１６４Ｂは、図５に示すメモリ１６４に対応しており、通信Ｉ／Ｆ１６６Ｂ、図５に示す通信Ｉ／Ｆ１６６に対応している。レーザ照射ユニット１３５Ａは、ＣＰＵ１６２Ｂに接続されており、ＣＰＵ１６２Ｂの制御下で、手術用レーザを被検眼１２の眼底に照射する。
【００８５】
表示／操作ユニット１７０Ｂは、基本的に図５に示す表示／操作ユニット１７０と同様のハードウェア資源を有している。表示／操作ユニット１７０Ｂにおいて、ディスプレイ１７２Ｂは、図５に示すディスプレイ１７２に対応しており、入力／指示デバイス１７４Ｂは、図５に示す入力／指示デバイス１７４に対応している。
【００８６】
次に、図７を参照して、眼科システム１００の全体の動作を説明する。
【００８７】
最初に、眼科システム１００は、患者の被検眼１２の診断をするために、患者の被検眼１２の基礎的な情報を収集する。具体的には、まず、眼科医の指示に従って、眼軸長測定装置１２０により患者の眼軸長が測定される。眼軸長測定装置１２０は、測定した眼軸長を患者ＩＤと共に管理サーバ１４０に送信する。管理サーバ１４０は、患者ＩＤに対応して眼軸長を、メモリ１６４に記憶する。なお、メモリ１６４には、患者各ＩＤに対応して、患者の個人情報が記憶されている。個人情報には、患者の氏名、年齢、性別、及び視力等が含まれる。
【００８８】
また、眼科装置１１０の撮影装置１４により患者の被検眼１２が撮影され、ＵＷＦＳＬＯ眼底画像が取得される。眼科装置１１０は、取得したＵＷＦＳＬＯ眼底画像を患者ＩＤと共に管理サーバ１４０に送信する。管理サーバ１４０は、患者ＩＤに対応させてＵＷＦＳＬＯ眼底画像をメモリ１６４に記憶する。
【００８９】
ここで、眼科装置１１０を用いたＵＷＦＳＬＯ眼底画像の取得について詳細に説明する。まず、オペレータが患者ＩＤなどを、入力／表示装置１６Ｅを介して、入力する。眼科装置１１０のＣＰＵ１６Ａの表示制御部２０４は入力/表示装置１６Ｅのディスプレイに、患者情報とモード選択のための図示しないメニュー画面（ＳＬＯモードやＯＣＴモード、各種設定モードなどを選択するメニュー画面）を表示する。オペレータがメニュー画面でＳＬＯモードを選択すると、表示制御部２０４は、図１８に示すビューワ用の２Ｄ／３Ｄ表示画面６００を入力／表示装置１６Ｅのディスプレイ１７２に表示させる。図１８に示すように、２Ｄ／３Ｄ表示画面６００は、患者情報表示欄５０２及び被検眼確認画面２５０を有する。また、２Ｄ／３Ｄ表示画面６００は、左眼ボタン５１０、右眼ボタン５１２、メニューボタン５１８、ＯＣＴ撮影ボタン６０２、及びＯＣＴ範囲設定ボタン６０４を有する。
【００９０】
患者情報表示欄５０２は、患者ＩＤ表示欄５０２Ａ、患者氏名表示欄５０２Ｂ、年齢表示欄５０２Ｃ、性別表示欄５０２Ｄ、眼軸長表示欄５０２Ｅ、及び視力表示欄５０２Ｆを有する。表示制御部１８４Ａは、管理サーバ１４０から、患者のＩＤ、患者の氏名、患者の年齢、患者の性別、患者の眼軸長、及び患者の視力のデータを取得する。表示制御部１８４Ａは、取得したこれらのデータに基づく情報を、患者ＩＤ表示欄５０２Ａ、患者氏名表示欄５０２Ｂ、年齢表示欄５０２Ｃ、性別表示欄５０２Ｄ、眼軸長表示欄５０２Ｅ、及び視力表示欄５０２Ｆに表示する。
【００９１】
左眼ボタン５１０は、眼底を撮影する眼が左眼であることを指定するためのボタンであり、右眼ボタン５１２は、眼底を撮影する眼が右眼であることを指定するためのボタンである。ＯＣＴ撮影ボタン６０２は、ＯＣＴ撮影を指示するためのボタンであり、ＯＣＴ範囲設定ボタン６０４は、ＯＣＴ撮影する撮影希望範囲を設定するためのボタンである。２Ｄ／３Ｄ表示画面６００の被検眼確認画面２５０には、管理サーバ１４０から取得されたＵＷＦＳＬＯ眼底画像４００Ｓが表示されている。また、図１８では、被検眼確認画面２５０にＵＷＦＳＬＯ眼底画像４００Ｓ１と横並びの位置に３次元画像４００Ｓ２とが表示されている。なお、図１８では、左眼のＵＷＦＳＬＯ眼底画像４００Ｓ１と左眼の３次元画像４００Ｓ２が示されている。
【００９２】
次に、表示制御処理の実行開始の指示が画像ビューワ１５０の入力／指示デバイス１７４Ａによって受け付けられた場合にＣＰＵ１６２Ａが制御プログラムを実行することで実現される表示制御処理について図８を参照して説明する。
【００９３】
図８に示す表示制御処理では、先ず、ステップ２９８で、画像処理部１８２Ａは、メモリ１６４Ａから患者データを読み出す。
【００９４】
次のステップ３００で、画像処理部１８２Ａは、ステップ２９８の処理が実行されることでメモリ１６４Ａから読み出された患者データから、ＳＬＯ眼底画像及び３次元画像を取得する。本ステップ３００で取得されるＳＬＯ眼底画像は、上述した指定対象２次元画像の一例であり、本ステップ３００で取得される３次元画像は、上述した指定対象３次元画像の一例である。
【００９５】
次のステップ３０２で、表示制御部１８４Ａは、上記ステップ３００の処理が実行されることで得られたＳＬＯ眼底画像及び３次元画像に基づいて、ディスプレイ１７２Ａに対して、本開示の技術に係る「表示画面」の一例である被検眼確認画面２５０を表示させ、その後、表示制御処理はステップ３０４へ移行する。なお、本第１実施形態では、被検眼確認画面２５０は、画像処理部１８２Ａによって生成され、生成された被検眼確認画面２５０が表示制御部１８４Ａの制御下でディスプレイ１７２Ａに表示される。
【００９６】
図９に示すように、被検眼確認画面２５０は、表示画面分割ライン２５２を介して、本開示の技術に係る「２次元表示領域」の一例であるＳＬＯ眼底画像表示画面２５０Ａと、本開示の技術に係る「３次元表示領域」の一例である３次元画像表示画面２５０Ｂとに大別される。
【００９７】
表示画面分割ライン２５２とは、ＳＬＯ眼底画像表示画面２５０Ａと３次元画像表示画面２５０Ｂとを横方向に並べて表示されるようにディスプレイ１７２Ａの全画面を２分割する縦ラインを指す。すなわち、ディスプレイ１７２Ａの全画面を２分割して得た一方の画面がＳＬＯ眼底画像表示画面２５０Ａであり、他方の画面が３次元画像表示画面２５０Ｂである。図９では、ＳＬＯ眼底画像表示画面２５０ＡにＳＬＯ眼底画像が表示され、３次元画像表示画面２５０Ｂに３次元画像が表示されている。
【００９８】
ＳＬＯ眼底画像表示画面２５０Ａの大きさと３次元画像表示画面２５０Ｂの大きさは可変であり、表示画面分割ライン２５２を左右方向に移動させることで、ＳＬＯ眼底画像表示画面２５０Ａの大きさと３次元画像表示画面２５０Ｂの大きさとが表示制御部１８４Ａにより変更される。
【００９９】
本実施形態では、画像処理部１８２Ａにより、２次元画像（以下、２Ｄ画像とも称する）が３次元画像（以下、３Ｄ画像とも称する）に変換され、３Ｄ画像が２Ｄ画像に変換される。すなわち、画像処理部１８２Ａは、２Ｄ画像を示す２Ｄ画像データを眼球モデルに基づいて、３Ｄ画像を示す３Ｄ画像データに変換し、その逆変換で３Ｄ画像データから２Ｄ画像データを生成する。なお、２次元画像の３次元画像への変換方法は、米国特許８４２２７５０号に開示されている技術を利用することができる。
【０１００】
ステップ３０４で、処理部１８６Ａは、入力／指示デバイス１７４Ａによって予め定められた３つの指示のうちの１つの指示を受け付けたか否かを判定する。ここで、予め定められた３つの指示とは、指定部位観察指示、ＯＣＴ撮影支援指示、及びレーザ照射支援指示を指す。指定部位観察指示とは、後述の指定部位観察処理の実行開始の指示を指す。ＯＣＴ撮影支援指示とは、後述のＯＣＴ撮影支援処理の実行開始の指示を指す。レーザ照射支援指示とは、後述のレーザ照射支援処理の実行開始の指示を指す。
【０１０１】
ステップ３０４において、入力／指示デバイス１７４Ａによって予め定められた３つの指示のうちの１つの指示を受け付けていない場合は、判定が否定されて、表示制御処理はステップ３１０へ移行する。ステップ３０４において、入力／指示デバイス１７４Ａによって予め定められた３つの指示のうちの１つの指示を受け付けた場合は、判定が肯定されて、表示制御処理はステップ３０６へ移行する。
【０１０２】
ステップ３０６で、処理部１８６Ａは、入力／指示デバイス１７４Ａによって受け付けられた指示が指定部位観察指示か否かを判定する。ステップ３０６において、入力／指示デバイス１７４Ａによって受け付けられた指示が指定部位観察指示でない場合は、判定が否定されて、ステップ３０６の判定が再び行われる。ステップ３０６において、入力／指示デバイス１７４Ａによって受け付けられた指示が指定部位観察指示の場合は、判定が肯定されて、表示制御処理はステップ３０８へ移行する。
【０１０３】
ステップ３０８で、ＣＰＵ１６２Ａは、図１０に示す指定部位観察処理を実行し、その後、ステップ３１０へ移行する。
【０１０４】
図１０に示す指定部位観察処理では、先ず、ステップ３０８Ａで、処理部１８６Ａは、ＳＬＯ眼底画像表示画面２５０Ａに表示されているＳＬＯ眼底画像内で、２次元変換対象領域が指定されたか否かを判定する。ここで、２次元変換対象領域は、入力／指示デバイス１７４Ａによって受け付けられた指示に応じて定まる。
【０１０５】
なお、ここでは、入力／指示デバイス１７４Ａによって受け付けられた指示に応じて２次元変換対象領域が定まる形態例を挙げているが、本開示の技術はこれに限定されない。ＳＬＯ眼底画像から血管領域又は無血管領域が画像処理部１８２Ａにより検出され、画像処理部１８２Ａでの検出結果に基づいて血管領域が２次元変換対象領域として指定されるようにしてもよい。また、画像処理部１８２Ａにより新生血管領域が検出され、検出された新生血管領域が２次元変換対象領域として指定されるようにしてもよい。
【０１０６】
図１１Ａ１では、２次元変換対象領域が指定され、指定された２次元変換対象領域を示す２次元変換対象領域画像２５０Ａ１が指定された態様が示されている。図１１Ａ１に示すように、ＳＬＯ眼底画像内において２次元変換対象領域画像２５０Ａ１が指定されると、２次元変換対象領域画像２５０Ａ１がＳＬＯ眼底画像上に重畳表示され、かつ、他の画像領域と区別可能に強調表示される。図１１Ａ１では、２次元変換対象領域画像２５０Ａ１の輪郭が破線で表示されることで、他の画像領域と区別可能な強調表示を実現している。
【０１０７】
ステップ３０８Ａにおいて、ＳＬＯ眼底画像表示画面２５０Ａに表示されているＳＬＯ眼底画像内で、２次元変換対象領域が指定された場合は、判定が肯定されて、指定部位観察処理はステップ３０８Ｂへ移行する。ステップ３０８Ａにおいて、ＳＬＯ眼底画像表示画面２５０Ａに表示されているＳＬＯ眼底画像内で、２次元変換対象領域が指定されていない場合は、判定が否定されて、指定部位観察処理はステップ３０８Ｅへ移行する。
【０１０８】
ステップ３０８Ｂで、画像処理部１８２Ａは、第１変換テーブルを作成し、その後、指定部位関観察処理はステップ３０８Ｃへ移行する。ここで、第１変換テーブルとは、ステップ３０８Ａの処理で指定された２次元変換対象領域画像の各画素に関する２次元位置情報と、３次元画像内のうちの対応する各画素に関する３次元位置情報との対応関係を示すテーブルを指す。第１変換テーブルは、患者データに含まれる位置対応情報から、ステップ３０８Ａの処理で指定された２次元変換対象領域画像の各画素に対応する位置対応情報を抽出することによって作成される。
【０１０９】
ステップ３０８Ｃで、画像処理部１８２Ａは、ステップ３０８Ａの処理で指定された２次元変換対象領域画像の各画素に関する２次元位置情報を、ステップ３０８Ｂの処理で作成した第１変換テーブルに従って、３次元位置情報に変換し、その後、指定部位観察処理はステップ３０８Ｄへ移行する。
【０１１０】
ステップ３０８Ｄで、表示制御部１８４Ａは、３次元加工画像を示す３次元加工画像信号をディスプレイ１７２Ａに出力し、その後、指定部位観察処理は終了する。ここで、３次元加工画像信号は、画像処理部１８２Ａによって生成される。３次元加工画像信号としては、２次元変換対象領域画像２５０Ａ１を３次元変換した３次元画像を示す信号が挙げられる。
【０１１１】
換言すると、３次元加工画像信号は、ステップ３０８Ａで指定された２次元変換対象領域を示す２次元変換対象領域画像を、ステップ３００で取得された３次元画像内の対応する位置の幾何特性に合わせて変換して得た３次元加工画像を示す信号である。３次元加工画像は、３次元画像表示画面２５０Ｂに表示されている３次元画像のうち、上記のステップ３０８Ｃの処理が実行されることで得られた３次元位置情報により特定される各画素で形成された画像である。
【０１１２】
また、ステップ３０８Ｄの処理が実行されることで、３次元加工画像信号が表示制御部１８４Ａによってディスプレイ１７２Ａに出力されると、ディスプレイ１７２Ａは、３次元加工画像が反映された形態で３次元画像を表示する。換言すると、ＣＰＵ１６２Ａは、ステップ３０８Ｄの処理を実行することで、３次元加工画像を反映させた形態の３次元画像がディスプレイ１７２Ａに表示されるようにディスプレイ１７２Ａを制御する。
【０１１３】
すなわち、ＳＬＯ眼底画像内において２次元変換対象領域が指定された場合に、３次元画像内の２次元変換対象領域画像が対応する位置に合わせて２次元変換対象画像を変換した画像が３次元画像に重畳表示される。
【０１１４】
図１１Ａ１では、２次元変換対象領域画像２５０Ａ１の各画素に関する２次元画像情報に対応する３次元位置情報により特定された３次元加工画像２５０Ｂ１の輪郭が破線で表示されている。このように３次元加工画像２５０Ｂ１の輪郭が破線で表示されることで、３次元画像内において３次元加工画像２５０Ｂ１が他の領域と区別可能に表示される。換言すると、２次元変換対象領域画像２５０Ａ１がジオメトリー変換されて得られた３次元加工画像２５０Ｂ１が３次元画像内で他の領域と区別可能に表示される。
【０１１５】
また、図１１Ａ１に示すように、２次元変換対象領域画像２５０Ａ１が矩形の場合、眼科装置１１０によってＯＣＴボリュームデータが取得される。そして、ＯＣＴボリュームデータは、眼科装置１１０から管理サーバ１４０を介して画像ビューワ１５０の画像処理部１８２Ａによって取得される。画像処理部１８２Ａによって取得されたＯＣＴボリュームデータは、画像処理部１８２Ａによって各種画像処理が施される。各種画像処理が施されたＯＣＴボリュームデータは、表示制御部１８４Ａによってディスプレイ１７２Ａに出力され、ディスプレイ１７２Ａに網膜の３Ｄ画像が表示される。ここで言う「ＯＣＴボリュームデータ」とは、図１１Ａ２に示すように、いわゆるＣスキャン画像である３次元ＯＣＴ画像２５９を指す。
【０１１６】
なお、ここでは、説明の便宜上、２次元変換対象領域画像２５０Ａ１が矩形である場合を例示したが、本開示の技術はこれに限定されない。ＳＬＯ眼底画像に対して、台形状又は円形状等の面状の領域が指定された場合に、３次元ＯＣＴ画像が眼科装置１１０によって取得され、３次元ＯＣＴ画像がディスプレイ１７２Ａに表示されるようにすればよい。
【０１１７】
ステップ３０８Ａ〜３０８Ｄの処理が実行されると、２次元変換対象領域画像が３次元画像内の対応する位置の幾何特性に合わせて変換され、互いに関連する２次元変換対象領域画像と３次元加工画像とが対比可能な状態でディスプレイ１７２Ａに並べて表示される。
【０１１８】
また、ユーザによって指定された２次元変換対象領域を示す２次元変換対象領域画像の態様としては、図１１Ｂ１に示す線状の２次元変換対象領域画像２５０Ａ３が挙げられる。図１１Ｂ１では、３次元画像表示画面２５０Ｂに、２次元変換対象領域画像２５０Ａ３に対応する線状の３次元加工画像２５０Ｂ３が表示されている。なお、図１１Ｃでは、図１１Ｂ１に示す例よりも線分を長くした２次元変換対象領域画像２５０Ａ３と、図１１Ｂ１に示す例よりも線分を長くした３次元加工画像２５０Ｂ３が示されている。
【０１１９】
また、線状の２次元変換対象領域がユーザによって指定されると、指定された線状の２次元変換対象領域を示す２次元変換対象領域画像２５０Ａ３に基づいて、いわゆるＢスキャン画像である２次元ＯＣＴ画像が眼科装置１１０によって取得される。そして、２次元ＯＣＴ画像は、眼科装置１１０から管理サーバ１４０を介して画像ビューワ１５０の画像処理部１６２によって取得される。画像ビューワ１５０の画像処理部１６２によって取得された２次元ＯＣＴ画像は、画像ビューワ１５０の画像処理部１６２によって各種画像処理が施される。各種画像処理が施された２次元ＯＣＴ画像は、表示制御部１８４Ａによってディスプレイ１７２Ａに出力され、ディスプレイ１７２Ａに、図１１Ｂ２に示すように、網膜の断層画像が表示される。
【０１２０】
なお、図１１Ｂ１に示す３次元画像表示画面２５０Ｂに３次元画像が表示されている状態で、画像ビューワ１５０の入力／指示デバイス１７４Ａによってユーザからの指示が受け付けられると、ディスプレイ１７２Ａにプルダウンメニューが表示される。プルダウンメニューには、「回転」というメニューが含まれており、ユーザが入力／指示デバイス１７４Ａを介して、「回転」というメニューを選択することで、入力／指示デバイス１７４に含まれるマウスによるドラッグ操作により３次元画像を回転させることが可能となる。なお、３次元画像表示画面２５０Ｂ内での３次元画像の回転は、表示制御部１８４Ａが入力／指示デバイス１７４Ａによって受け付けられた指示に応じてディスプレイ１７２Ａを制御することによって実現される。
【０１２１】
また、２次元ＯＣＴ画像は、ＳＬＯ眼底画像及び３次元画像と並べて表示されるようにしてもよい。図１４Ａでは、被検眼確認画面２６０が示されている。被検眼確認画面２６０は、上述した被検眼確認画面２５０とＯＣＴ画像表示画面２６０Ｃとが組み合わされた画面である。すなわち、被検眼確認画面２６０は、ＳＬＯ眼底画像表示画面２５０Ａと、３次元画像表示画面２５０Ｂと、ＯＣＴ画像表示画面２６０Ｃとに大別される。図１４Ａでは、縦分割ラインである表示画面分割ライン２５２と横分割ライン２６４とによってディスプレイ１７２の全画面が３分割されている。
【０１２２】
図１４Ａでは、表示画面分割ライン２５２を横方向に跨いで、ＳＬＯ眼底画像表示画面２５０Ａと３次元画像表示画面２５０Ｂとが配置されている。ＳＬＯ眼底画像表示画面２５０にはＳＬＯ眼底画像が表示され、３次元画像表示画面２５０Ｂには３次元画像が表示されている。また、図１４Ａでは、横分割ライン２６４を縦方向に跨いで、下側に、被検眼確認画面２５０が表示され、上側に、ＯＣＴ画像表示画面２６０Ｃが表示されている。ＯＣＴ画像表示画面２６０Ｃには、最新のＢスキャン画像、すなわち、画像ビューワ１５０の画像処理部１６２によって取得された最新のＯＣＴ画像信号により示されるＯＣＴ画像が表示されている。
【０１２３】
なお、図１４Ａでは、ＯＣＴ画像表示画面２６０ＣにＢスキャン画像が表示されているが、本開示の技術はこれに限定されない。図１１Ａ１に示すように、２次元変換対象領域画像２５０Ａ１又は３次元変換対象領域画像２５０Ｂ２が面状の場合、ＯＣＴ画像表示画面２６０Ｃに、Ｂスキャン画像に代えて、２次元変換対象領域画像２５０Ａ１又は３次元変換対象領域画像２５０Ｂ２に対応する網膜の３Ｄ画像として、３次元ＯＣＴ画像２５９（図１１Ａ２参照）が表示されるようにしてもよい。
【０１２４】
また、表示制御部１８４Ａは、画像ビューワ１５０の入力／指示デバイス１７４によって受け付けられた指示に応じて、ディスプレイ１７２Ａに対して、ＯＣＴ画像を拡大して表示させるようにしてもよい。なお、図１４Ｂでは、ＯＣＴ画像表示画面２６０Ｃが拡大されることで、ＯＣＴ画像が拡大して表示されている。
【０１２５】
このように、画像ビューワ１５０が、ディスプレイ１７２Ａに対してＯＣＴ画像を表示させることで、医者は、被検眼１２の問題があると判断した箇所のＯＣＴ画像を確認し、被検眼１２を診察することが可能となる。また、画像ビューワ１５０が、ＳＬＯ眼底画像と３次元画像とＯＣＴ画像とを視覚的に対比可能に並べてディスプレイ１７２Ａに表示させることで、医者は、被検眼１２のどの部分のＯＣＴ画像が表示されているのかを容易に特定することができる。
【０１２６】
なお、ＳＬＯ眼底画像と３次元画像とＯＣＴ画像とがディスプレイ１７２Ａに並べて表示される他の態様としては、図１５Ａに示す態様が挙げられる。図１５Ａでは、ＳＬＯ眼底画像表示画面２６６Ａと３次元画像表示画面２６６ＢとＯＣＴ画像表示画面２６６Ｃとがディスプレイ１７２Ａの横方向に一列に並んで表示されている。また、図１５Ａでは、ＳＬＯ眼底画像表示画面２６６Ａがディスプレイ１７２Ａの中央部に表示され、ＳＬＯ眼底画像表示画面２６６Ａを挟んでＯＣＴ画像表示画面２６６Ｃと３次元画像表示画面２６６Ｂとが表示されている。
【０１２７】
ＳＬＯ眼底画像表示画面２６６Ａには、ＳＬＯ眼底画像が表示され、かつ、ＳＬＯ眼底画像内に、ＯＣＴのＢスキャン位置として線状の２次元変換対象領域画像２６８が表示されている。３次元画像表示画面２６６Ｂには、３次元画像が表示され、かつ、３次元画像内に、２次元変換対象領域画像２６８に対応する３次元加工画像２７０が表示されている。ＯＣＴ画像表示画面２６６Ｃには、被検眼１２のうち、３次元加工画像２７０に対応する位置のＢスキャン画像である２次元ＯＣＴ画像が表示されている。
【０１２８】
また、図１５Ｂでは、ＳＬＯ眼底画像表示画面２６９Ａと３次元画像表示画面２６９ＢとＯＣＴ画像表示画面２６９Ｃとがディスプレイ１７２Ａの横方向に一列に並んで表示されている。また、図１５Ｂでは、ＳＬＯ眼底画像表示画面２６９Ａがディスプレイ１７２Ａの中央部に表示され、ＳＬＯ眼底画像表示画面２６９Ａを挟んでＯＣＴ画像表示画面２６９Ｃと３次元画像表示画面２６９Ｂとが表示されている。
【０１２９】
ＳＬＯ眼底画像表示画面２６９Ａには、ＳＬＯ眼底画像が表示され、かつ、ＳＬＯ眼底画像内に、ＯＣＴのＣスキャン位置として矩形状の２次元変換対象領域画像２７２が表示されている。３次元画像表示画面２６９Ｂには、３次元画像が表示され、かつ、３次元画像内に、２次元変換対象領域画像２６８に対応する面状の３次元加工画像２７４が表示されている。ＯＣＴ画像表示画面２６６Ｃには、被検眼１２のうち、３次元加工画像２７４に対応する位置のＣスキャン画像である３次元ＯＣＴ画像が表示されている。
【０１３０】
ステップ３０８Ｅで、処理部１８６Ａは、３次元画像表示画面２５０Ｂに表示されている３次元画像内で、３次元変換対象領域が指定されたか否かを判定する。ここで、３次元変換対象領域は、入力／指示デバイス１７４Ａによって受け付けられた指示に応じて定まる。
【０１３１】
なお、ここでは、入力／指示デバイス１７４Ａによって受け付けられた指示に応じて３次元変換対象領域が定まる形態例を挙げているが、本開示の技術はこれに限定されない。ＳＬＯ眼底画像から血管領域又は無血管領域が画像処理部１８２Ａにより検出され、画像処理部１８２Ａでの検出結果に基づいて血管領域が３次元変換対象領域として指定されるようにしてもよい。また、画像処理部１８２Ａにより新生血管領域が検出され、検出された新生血管領域が３次元変換対象領域として指定されるようにしてもよい。
【０１３２】
図１１Ａ１では、３次元変換対象領域が指定され、指定された３次元変換対象領域を示す３次元変換対象領域画像２５０Ｂ２が指定された態様が示されている。図１１Ａ１に示すように、３次元画像内において３次元変換対象領域２５０Ｂ２が指定されると、３次元変換対象領域画像２５０Ｂ２が３次元画像上に重畳表示され、かつ、他の画像領域と区別可能に強調表示される。図１１Ａ１では、３次元変換対象領域２５０Ｂ２の輪郭が一点鎖線で表示されることで、他の画像領域と区別可能な強調表示を実現している。
【０１３３】
ステップ３０８Ｅにおいて、３次元画像表示画面２５０Ｂに表示されている３次元画像内で、３次元変換対象領域が指定された場合は、判定が肯定されて、指定部位観察処理はステップ３０８Ｆへ移行する。ステップ３０８Ｅにおいて、３次元画像表示画面２５０Ｂに表示されている３次元画像内で、３次元変換対象領域が指定されていない場合は、判定が否定されて、指定部位観察処理はステップ３０８Ｉへ移行する。
【０１３４】
また、図１１Ａ１に示すように、３次元変換対象領域２５０Ｂ２が矩形の場合、眼科装置１１０によってＯＣＴボリュームデータが取得される。そして、ＯＣＴボリュームデータは、眼科装置１１０から管理サーバ１４０を介して画像ビューワ１５０の画像処理部１６２によって取得される。画像ビューワ１５０の画像処理部１６２によって取得されたＯＣＴボリュームデータは、画像ビューワ１５０の画像処理部１６２によって各種画像処理が施される。各種画像処理が施されたＯＣＴボリュームデータは、表示制御部１８４Ａによってディスプレイ１７２Ａに出力され、図１１Ａ２に示すように、ディスプレイ１７２Ａに網膜の３Ｄ画像が表示される。
【０１３５】
なお、ここでは、説明の便宜上、３次元変換対象領域画像２５０Ｂ２が矩形である場合を例示したが、本開示の技術はこれに限定されない。ＳＬＯ眼底画像に対して、台形状又は円形状等の面状の領域が指定された場合に、３次元ＯＣＴ画像が眼科装置１１０によって取得され、３次元ＯＣＴ画像がディスプレイ１７２Ａに表示されるようにすればよい。
【０１３６】
ステップ３０８Ｆで、画像処理部１８２Ａは、第２変換テーブルを作成し、その後、指定部位関観察処理はステップ３０８Ｇへ移行する。ここで、第２変換テーブルとは、ステップ３０８Ｅの処理で指定された３次元変換対象領域画像の各画素に関する３次元位置情報と、ＳＬＯ眼底画像内のうちの対応する各画素に関する２次元位置情報との対応関係を示すテーブルを指す。第２変換テーブルは、患者データに含まれる位置対応情報から、ステップ３０８Ｅの処理で指定された３次元変換対象領域画像の各画素に対応する位置対応情報を抽出することによって作成される。
【０１３７】
ステップ３０８Ｇで、画像処理部１８２Ａは、ステップ３０８Ｅの処理で指定された３次元変換対象領域画像の各画素に関する３次元位置情報を、ステップ３０８Ｆの処理で作成した第２変換テーブルに従って、２次元位置情報に変換し、その後、指定部位観察処理はステップ３０８Ｈへ移行する。
【０１３８】
ステップ３０８Ｈで、表示制御部１８４Ａは、２次元加工画像を示す２次元加工画像信号をディスプレイ１７２Ａに出力し、その後、指定部位観察処理は終了する。ここで、２次元加工画像信号は、画像処理部１８２Ａによって生成される。２次元加工画像信号としては、３次元変換対象領域画像２５０Ｂ２を２次元変換した２次元画像を示す信号が挙げられる。
【０１３９】
換言すると、２次元加工画像信号は、ステップ３０８Ｅで指定された３次元変換対象領域を示す３次元変換対象領域画像を、ステップ３００の処理で取得されたＳＬＯ眼底画像内の対応する位置の幾何特性に合わせて変換して得た２次元加工画像を示す信号である。２次元加工画像は、ＳＬＯ眼底画像表示画面２５０Ａに表示されているＳＬＯ眼底画像のうち、上記のステップ３０８Ｇの処理が実行されることで得られた２次元位置情報により特定される各画素で形成された画像である。
【０１４０】
また、ステップ３０８Ｈの処理が実行されることで、２次元加工画像信号が表示制御部１８４Ａによってディスプレイ１７２Ａに出力されると、ディスプレイ１７２Ａは、２次元変換後画像が反映された形態でＳＬＯ眼底画像を表示する。換言すると、ＣＰＵ１６２は、ステップ３０８Ｈの処理を実行することで、２次元変換後画像を反映させた形態のＳＬＯ眼底画像がディスプレイ１７２Ａに表示されるようにディスプレイ１７２Ａを制御する。
【０１４１】
すなわち、３次元画像内において３次元変換対象領域が指定された場合に、２次元画像内の３次元変換対象領域が対応する位置に合わせて３次元変換対象画像を変換した画像がＳＬＯ眼底画像に重畳表示される。
【０１４２】
図１１Ａ１では、３次元変換対象領域２５０Ｂ２の各画素に関する３次元画像情報に対応する２次元位置情報により特定された２次元加工画像２５０Ａ２の輪郭が一点鎖線で表示されている。このように２次元変換後画像２５０Ａ２の輪郭が一点鎖線で表示されることで、ＳＬＯ眼底画像内において２次元加工画像２５０Ａ２が他の領域と区別可能に表示される。換言すると、３次元変換対象領域画像２５０Ｂ２がジオメトリー変換されて得られた２次元加工画像２５０Ａ２がＳＬＯ眼底画像内で他の領域と区別可能に表示される。
【０１４３】
ステップ３０８Ｅ〜３０８Ｈの処理が実行されると、３次変換対象領域画像がＳＬＯ眼底画像内の対応する位置の幾何特性に合わせて変換され、互いに関連する３次元変換対象領域と２次元加工画像とが対比可能な状態でディスプレイ１７２Ａに並べて表示される。
【０１４４】
ステップ３０８Ｉで、処理部１８６Ａは、入力／指示デバイス１７４によって、上述した変更指示が受け付けられたか否かを判定する。本ステップ３０８Ｉにおいて、変更指示は、表示画面分割ライン２５２をＳＬＯ眼底画像表示画面２５０Ａ及び３次元画像表示画面２５０Ｂのうちの一方の側から他方の側へ移動させることで実現される。
【０１４５】
ステップ３０８Ｉにおいて、入力／指示デバイス１７４によって、変更指示を受け付けられていない場合は、判定が否定されて、指定部位観察処理はステップ３０８Ａへ移行する。ステップ３０８Ｉにおいて、入力／指示デバイス１７４によって変更指示を受け付けられた場合は、判定が肯定されて、指定部位観察処理はステップ３０８Ｊへ移行する。
【０１４６】
ステップ３０８Ｊで、表示制御部１８４Ａは、変更指示信号をディスプレイ１７２Ａに出力し、その後、指定部位観察処理は終了する。変更指示信号がディスプレイ１７２に出力されると、ディスプレイ１７２Ａでは、ＳＬＯ眼底画像及び３次元画像の各々の表示面積が変更される。換言すると、ＣＰＵ１６２は、ステップ３０８Ｊの処理を実行することで、入力／指示デバイス１７４によって受け付けられた変更指示に従って、ＳＬＯ眼底画像及び３次元画像の各々の表示面積（表示領域の面積）が変更されるようにディスプレイ１７２Ａを制御する。
【０１４７】
具体的には、図１２Ａに示すように、表示画面分割ライン２５２をＳＬＯ眼底画像表示画面２５０Ａ側から３次元画像表示画面２５０Ｂ側へ移動させると、ディスプレイ１７２Ａは、ＳＬＯ眼底画像を拡大して表示し、３次元画像を縮小して表示する。図１２Ａでは、ディスプレイ１７２Ａは、ＳＬＯ眼底画像表示画面２５０Ａの面積が増大する一方で、ＳＬＯ眼底画像表示画面２５０Ａの面積が増大した分だけ３次元画像表示画面２５０Ｂの面積は減少する。ディスプレイ１７２Ａは、ＳＬＯ眼底画像表示画面２５０Ａの面積の増大に応じてＳＬＯ眼底画像表示画面２５０Ａ内のＳＬＯ眼底画像の面積を増大させて表示する。また、ディスプレイ１７２Ａは、３次元画像表示画面２５０Ｂの面積の減少に応じて３次元画像表示画面２５０Ｂ内の３次元画像の面積を減少させて表示する。
【０１４８】
すなわち、換言すると、ディスプレイ１７２Ａは、ＳＬＯ眼底画像表示画面２５０Ａの表示面積を大きくすることでＳＬＯ眼底画像を拡大して表示し、かつ、３次元画像表示画面２５０Ｂの表示面積を小さくすることで３次元画像を縮小して表示する。
【０１４９】
また、図１２Ｂに示すように、表示画面分割ライン２５２を３次元画像表示画面２５０Ｂ側からＳＬＯ眼底画像表示画面２５０Ａ側へ移動させると、ディスプレイ１７２Ａは、３次元画像を拡大して表示し、ＳＬＯ眼底画像を縮小して表示する。図１２Ｂでは、ディスプレイ１７２Ａは、３次元画像表示画面２５０Ｂの面積が増大する一方で、３次元画像表示画面２５０Ｂの面積が増大した分だけＳＬＯ眼底画像表示画面２５０Ａの面積は減少する。ディスプレイ１７２Ａは、３次元画像表示画面２５０Ｂの面積の増大に応じて３次元画像表示画面２５０Ｂ内の３次元画像の面積を増大させて表示する。また、ディスプレイ１７２Ａは、ＳＬＯ眼底画像表示画面２５０Ａの面積の減少に応じてＳＬＯ眼底画像表示画面２５０Ａ内のＳＬＯ眼底画像の面積を減少させて表示する。
【０１５０】
すなわち、換言すると、ディスプレイ１７２Ａは、３次元画像表示画面２５０Ｂの表示面積を大きくすることで３次元画像を拡大して表示し、かつ、ＳＬＯ眼底画像表示画面２５０Ａの表示面積を小さくすることでＳＬＯ眼底画像を縮小して表示する。
【０１５１】
このように、ＣＰＵ１６２Ａは、ステップ３０８Ｊの処理を実行することで、画像ビューワ１５０の入力／指示デバイス１７４Ａによって受け付けられた変更指示に従って、ＳＬＯ眼底画像及び３次元画像の各々の表示面積が変更されるようにディスプレイ１７２Ａを制御する。
【０１５２】
一方、図８に示す表示制御処理では、ステップ３１２で、処理部１８６Ａは、入力／指示デバイス１７４Ａによって受け付けられた指示がＯＣＴ撮影支援指示か否かを判定する。ステップ３１２において、画像入力／指示デバイス１７４Ａによって受け付けられた指示がＯＣＴ撮影支援指示でない場合は、判定が否定されて、表示制御処理はステップ３１６へ移行する。ステップ３１２において、入力／指示デバイス１７４Ａによって受け付けられた指示がＯＣＴ撮影支援指示の場合は、判定が肯定されて、表示制御処理はステップ３１４へ移行する。
【０１５３】
ステップ３１４で、処理部１８６Ａは、ユーザにより画像ビューワ１５０の入力／指示デバイス１７４Ａを介して、ＯＣＴによる撮影位置が指定されると、撮影位置を示す撮影位置情報を眼科装置１１０に送信する。
【０１５４】
ステップ３１６で、処理部１８６Ａは、入力／指示デバイス１７４Ａによって受け付けられた指示がレーザ照射支援指示か否かを判定する。ステップ３１６において、入力／指示デバイス１７４Ａによって受け付けられた指示がレーザ照射支援指示でない場合は、判定が否定されて、表示制御処理はステップ３１２へ移行する。ステップ３１６において、入力／指示デバイス１７４Ａによって受け付けられた指示がレーザ照射支援指示の場合は、判定が肯定されて、表示制御処理はステップ３１８へ移行する。
【０１５５】
ステップ３１８で、処理部１８６Ａは、ユーザにより入力／指示デバイス１７４Ａを介して、レーザ治療装置１３５によるレーザの照射先が指定されると、レーザの照射先の位置を示すレーザ照射位置情報をディスプレイ１７２Ａ及びレーザ治療装置１３５のうちの少なくとも一方に出力する。なお、レーザ照射位置情報の出力先は、入力／指示デバイス１７４Ａによって受け付けられた指示に応じて定められる。
【０１５６】
レーザ照射位置情報がディスプレイ１７２Ａに出力されると、図１３に示すように、ディスプレイ１７２Ａは、レーザ照射位置マーク２８０を表示する。レーザ照射位置マーク２８０は、２次元変換対象領域画像の位置に相当する位置と３次元加工画像の位置に相当する位置との各々に対して付与され、レーザ治療装置１３５によるレーザの照射先の目印となる。図１３において、ＳＬＯ眼底画像表示画面２５０Ａ内のレーザ照射位置マーク２８０、及び３次元画像表示画面２５０Ｂ内のレーザ照射位置マーク２８０は、本開示の技術に係る「第２領域を示すマーク」の一例である。
【０１５７】
ディスプレイ１７２Ａでは、レーザ照射位置マーク２８０が２次元変換対象領域画像の位置に相当する位置と３次元加工画像の位置に相当する位置との各々に重畳表示される。そして、このように２次元変換対象領域画像の位置に相当する位置と３次元加工画像の位置に相当する位置との各々にレーザ照射位置マーク２８０が重畳表示された形態でＳＬＯ眼底画像及び３次元画像がディスプレイ１７２Ａに対比可能に並べて表示される。
【０１５８】
すなわち、ＣＰＵ１６２Ａは、ステップ３１８の処理を実行することで、２次元変換対象領域画像の位置に相当する位置と３次元加工画像の位置に相当する位置との各々にレーザ照射位置マーク２８０を反映させた形態でＳＬＯ眼底画像及び３次元画像が表示されるようにディスプレイ１７２Ａを制御する。
【０１５９】
なお、図１３では、被検眼１２に対するレーザ手術中の被検眼１２を示すＳＬＯ眼底画像である術中２次元眼底画像が表示されている。また、図１３では、被検眼１２に対するレーザ手術中の被検眼１２を示す３次元画像である術中３次元画像が表示されている。これにより、画像ビューワ１５０は、ユーザに対してレーザ手術中の被検眼１２の態様を高精度に把握させることができる。
【０１６０】
しかし、本開示の技術はこれに限定されない。被検眼１２の眼底に対するレーザ手術後の被検眼１２を示すＳＬＯ眼底画像である術後２次元眼底画像が表示され、被検眼１２に対するレーザ手術後の被検眼１２を示す３次元画像である術後３次元画像が表示されるようにしてもよい。この場合、画像ビューワ１５０は、ユーザに対してレーザ手術後の被検眼１２の眼底の状態を高精度に把握させることができる。
【０１６１】
レーザ照射位置情報がレーザ治療装置１３５に出力されると、レーザ治療装置１３５は、レーザ照射位置情報により示される位置にレーザを照射する。
【０１６２】
なお、上記第１実施形態では、ＳＬＯ眼底画像又は３次元画像のうち、ユーザによって指定される領域として、被検眼１２の眼底内の領域に相当する領域を例に挙げて説明したが、本開示の技術はこれに限定されない。３次元画像内の複数の箇所がユーザによって指定され、被検眼１２のうち、ユーザによって指定された複数の箇所の各々に対応する各箇所に対して、ＯＣＴによる撮影が行われるようにしてもよい。図１６では、ディスプレイ１７２Ａに被検眼確認画面２８６が表示されている。被検眼確認画面２８６は、３次元画像表示画面２８６Ａと、第１ＯＣＴ画像表示画面２８６Ｂと、第２ＯＣＴ画像表示画面２８６Ｃとを有する画面である。３次元画像表示画面２８６Ａには、３次元画像が表示され、かつ、３次元画像のうち、被検眼１２の前眼部を示す前眼部画像領域と被検眼１２の後眼部を示す後眼部画像領域との各々に対して線状の３次元変換対象領域２８４Ａ，２８４Ｂが表示されている。
【０１６３】
第１ＯＣＴ画像表示画面２８６Ｂには、被検眼１２の前眼部のうち、３次元変換対象領域２８４Ａに対応する位置に対してＯＣＴによる撮影が行われることによって得られたＢスキャン画像である２次元ＯＣＴ画像が表示されている。第２ＯＣＴ画像表示画面２８６Ｃには、被検眼１２の後眼部である網膜のうち、３次元変換対象領域２８４Ａに対応する位置に対してＯＣＴによる撮影が行われることによって得られたＢスキャン画像である２次元ＯＣＴ画像が表示されている。
【０１６４】
なお、図１６では、３次元画像に各々対応する２次元前眼部画像及びＳＬＯ眼底画像と、３次元変換対象領域画像２８４Ａ，２８４Ｂの各々に対応する２次元加工画像は表示されていない。しかし、本開示の技術はこれに限定されない。３次元画像の各々対応する２次元前眼部画像及びＳＬＯ眼底画像と、３次元変換対象領域画像２８４Ａ，２８４Ｂの各々に対応する２次元加工画像とが、３次元画像と２次元ＯＣＴ画像と共にディスプレイ１７２に並べて表示されるようにしてもよい。
【０１６５】
また、３次元変換対象領域画像２８４Ａ，２８４Ｂを含む３次元画像、２次元加工画像を含むＳＬＯ眼底画像、及び、３次元変換対象領域画像２８４Ａ，２８４Ｂの各々に対応する２次元ＯＣＴ画像のうち、指定された画像が拡大されて表示されるようにしてもよい。
【０１６６】
以上説明したように、本第１実施形態では、画像処理部１８２ＡによりＳＬＯ眼底画像及び３次元画像が取得される。そして、取得されたＳＬＯ眼底画像及び３次元画像のうちのＳＬＯ眼底画像がディスプレイ１７２Ａに表示された状態で２次元変換対象領域が指定された場合、取得されたＳＬＯ眼底画像及び３次元画像のうちの３次元画像内の２次元変換対象領域画像が対応する位置に合わせて２次元変換対象領域画像を変換した３次元加工画像が３次元画像に重畳表示される。従って、画像ビューワ１５０は、被検眼内の注目部位をユーザに対して高精度に把握させることができる。
【０１６７】
また、本第１実施形態では、画像処理部１８２Ａにより取得されたＳＬＯ眼底画像及び３次元画像のうちの３次元画像がディスプレイ１７２Ａに表示された状態で３次元変換対象領域が指定された場合、ＳＬＯ眼底画像内の３次元変換対象領域画像が対応する位置に合わせて３次元変換対象領域画像を変換した２次元加工画像がＳＬＯ眼底画像に重畳表示される。従って、画像ビューワ１５０は、被検眼内の注目部位をユーザに対して高精度に把握させることができる。
【０１６８】
また、本第１実施形態では、表示制御部１８４Ａは、２次元加工画像が重畳表示されたＳＬＯ眼底画像をディスプレイ１７２Ａに表示させる。これにより、画像ビューワ１５０は、ユーザに対して、ＳＬＯ眼底画像内での２次元加工画像の位置を容易に把握させることができる。
【０１６９】
また、本第１実施形態では、表示制御部１８４Ａは、３次元加工画像が重畳表示された３次元画像をディスプレイ１７２Ａに表示させる。これにより、画像ビューワ１５０は、ユーザに対して、３次元画像内での３次元加工画像の位置を容易に把握させることができる。
【０１７０】
また、本第１実施形態では、表示制御部１８４Ａは、上述した第１既定条件又は第２既定条件を満足した場合に、回転表示を指示する回転表示指示信号をディスプレイ１７２Ａに出力することで、３次元画像を回転表示させて３次元加工画像を視認可能な位置に表示させる。これにより、画像ビューワ１５０は、３次元画像内での３次元加工画像の大きさ又は位置に拘わらず、ユーザに対して、被検眼内の指定された部位の全貌を容易に把握させることができる。
【０１７１】
また、本第１実施形態では、表示制御部１８４Ａは、ディスプレイ１７２Ａに対して２次元画像と３次元画像とを視覚的に対比可能に並べて表示させる。これにより、画像ビューワ１５０は、ユーザに対して被検眼内の注目部位（特に眼底）を高精度に把握させることができる。
【０１７２】
また、本第１実施形態では、表示制御部１８４Ａは、変更指示が与えられた場合に、変更指示信号をディスプレイ１７２Ａに出力することで、ディスプレイ１７２Ａに対して２次元画像及び３次元画像の各々の表示面積を変更する。これにより、画像ビューワ１５０は、ユーザの要求に応じた表示面積で２次元画像及び３次元画像をディスプレイ１７２Ａに対して表示させることができる。
【０１７３】
また、本第１実施形態では、表示制御部１８４Ａは、ディスプレイ１７２Ａに対して２次元画像、３次元画像、及びＯＣＴ画像を視覚的に対比可能に並べて表示させる。これにより、画像ビューワ１５０は、ユーザに対して被検眼内の注目部位を高精度に把握させることができる。
【０１７４】
また、本第１実施形態では、表示制御部１８４Ａは、拡大表示指示が与えられた場合に、拡大表示指示信号をディスプレイ１７２Ａに出力することで、ディスプレイ１７２Ａに対してＯＣＴ画像を拡大表示させる。これにより、画像ビューワ１５０は、ユーザに対して、被検眼内の指定された部位の全貌を、ＯＣＴ画像を通して容易に把握させることができる。
【０１７５】
また、本第１実施形態では、変換対象領域が線状の場合、２次元ＯＣＴ画像がディスプレイ１７２Ａに表示され、変換対象領域が面状の場合、３次元ＯＣＴ画像がディスプレイ１７２Ａに表示される。これにより、画像ビューワ１５０は、簡単な操作で２次元ＯＣＴ画像と３次元ＯＣＴ画像とを選択的にユーザに対して提示することができる。
【０１７６】
また、本第１実施形態では、表示制御部１８４Ａが、２次元加工画像信号をディスプレイ１７２Ａに出力することで、２次元加工画像の位置に相当する位置にレーザ照射位置マークが反映された形態でＳＬＯ眼底画像をディスプレイ１７２Ａに対して表示させる。これにより、画像ビューワ１５０は、手術用レーザが照射される位置をユーザに対して高精度に把握させることができる。
【０１７７】
また、本第１実施形態では、表示制御部１８４Ａが、３次元加工画像信号をディスプレイ１７２Ａに出力することで、３次元加工画像の位置に相当する位置にレーザ照射位置マークが反映された形態で３次元画像をディスプレイ１７２Ａに対して表示させる。これにより、画像ビューワ１５０は、手術用レーザが照射される位置をユーザに対して高精度に把握させることができる。
【０１７８】
また、本第１実施形態では、ＳＬＯ眼底画像及び／又は３次元画像から血管領域又は無血管領域が画像処理部１８２Ａにより検出され、画像処理部１８２Ａでの検出結果に基づいて血管領域が変換対象領域として指定される。これにより、画像ビューワ１５０は、ユーザに対して病変部の位置を高精度に把握させることができる。
【０１７９】
また、本第１実施形態では、画像処理部１８２Ａにより新生血管領域が検出され、検出された新生血管領域が変換対象領域として指定される。これにより、画像ビューワ１５０は、ユーザに対して病変部の位置を高精度に把握させることができる。
【０１８０】
また、本第１実施形態では、第１画像の複数個所の各々が変換対象領域として指定された場合、指定された変換対象領域の各々について加工画像が生成される。これにより、画像ビューワ１５０は、ユーザに対して複数の注目箇所の位置を高精度に把握させることができる。
【０１８１】
更に、本第１実施形態では、被検眼１２のうちの前眼部と後眼部とを含む複数個所の各々が変換対象領域として指定された場合、指定された変換対象領域の各々について加工画像が生成される。これにより、画像ビューワ１５０は、ユーザに対して被検眼１２のうちの前眼部及び後眼部の各々の注目箇所の位置を高精度に把握させることができる。
【０１８２】
なお、上記第１実施形態では、眼科装置１１０の係員が、線状の変換対象領域の場合に、ＳＬＯ眼底画像内の線状の変換対象領域と３次元画像内の線状の変換後画像とを参照しながら、２次元ＯＣＴ画像が生成されるように、眼科装置１１０に対してＯＣＴによる撮影の設定を行う。また、面状の変換対象領域の場合に、ＳＬＯ眼底画像内の面状の変換対象領域と３次元画像内の面状の変換後画像とを参照しながら、３次元ＯＣＴ画像が得られるように、眼科装置１１０に対してＯＣＴによる撮影の設定を行う。
【０１８３】
しかし、本開示の技術はこれに限定されない。上述した変換対象領域又は変換後画像の各画素に対応付けられた（φＸ，φＹ）に従ってＯＣＴによる撮影で信号光が走査されるようにＣＰＵ１６ＡがＯＣＴユニット２０及び撮影光学系１９を制御することで２次元又は３次元ＯＣＴ画像が得られるようにしてもよい。この場合、２次元ＯＣＴ画像又は３次元ＯＣＴ画像を得るために要する係員の手間を軽減することができる。すなわち、医師は、診察室で画像ビューワ１５０を通して変換対象領域を指定すれば、眼科装置１１０により、指定した変換対象領域に対応する箇所のＯＣＴによる撮影が実行される。これにより、医師は、被検眼１２の眼底内で、自身が要求した箇所に対するＯＣＴによる撮影により得られたＯＣＴ画像を得ることができる。つまり、医師は、診察室内で画像ビューワ１５０を通して線状の変換対象領域を指定すれば２次元ＯＣＴ画像を得ることができ、面状の変換対象領域を指定すれば３次元ＯＣＴ画像が得ることができる。
【０１８４】
また、上記各実施形態では、ＳＬＯ眼底画像内において２次元変換対象領域が指定された場合に、３次元画像内の２次元変換対象領域が対応する位置に合わせて２次元変換対象画像を変換した画像が３次元画像に重畳表示される形態例（図１０に示すステップ３０８Ａ〜ステップ３０８Ｄ）を挙げて説明したが、本開示の技術はこれに限定されない。２次元変換対象領域が重畳されたＳＬＯ眼底画像が３次元に変換された３次元画像が生成され、生成された３次元画像が表示されるようにしてもよい。この場合も、上記各実施形態と同様の効果を得ることができる。
【０１８５】
また、上記第１実施形態では、３次元画像内において３次元変換対象領域が指定された場合に、ＳＬＯ眼底画像内の３次元変換対象領域が対応する位置に合わせて３次元変換対象画像を変換した画像が２次元画像に重畳表示される形態例（図１０に示すステップ３０８Ｅ〜ステップ３０８Ｈ）を挙げて説明したが、本開示の技術はこれに限定されない。例えば、３次元変換対象領域が重畳された３次元画像が２次元に変換された２次元画像が生成され、生成された３次元画像が表示されるようにしてもよい。この場合も、上記各実施形態と同様の効果を得ることができる。
【０１８６】
また、上記第１実施形態では、表示制御処理が画像ビューワ１５０によって実行される形態例を示したが、本開示の技術はこれに限定されない。表示制御処理は、眼科装置１１０又は管理サーバ１４０によって実行されるようにしてもよいし、眼科装置１１０、管理サーバ１４０、画像ビューワ１５０、及び他の装置のうちの少なくとも１つによって実行されるようにしてもよい。また、表示制御処理は、眼科装置１１０、管理サーバ１４０、画像ビューワ１５０、及び他の装置のうちの少なくとも２台によって分散されて実行されるようにしてもよい。
【０１８７】
また、上記第１実施形態では、制御プログラムをメモリ１６４から読み出す場合を例示したが、必ずしも最初からメモリ１６４に記憶させておく必要はない。ＳＳＤ（Ｓｏｌｉｄ  Ｓｔａｔｅ  Ｄｒｉｖｅ）、ＵＳＢ（ｕｎｉｖｅｒｓａｌ  ｓｅｒｉａｌ  ｂｕｓ）メモリ、又はＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）等の非一時的なコンピュータ読み取り可能な可搬型の記憶媒体に先ずは制御プログラムを記憶させておいてもよい。この場合、記憶媒体の主要プログラムが画像ビューワ１５０にインストールされ、インストールされた制御プログラムがＣＰＵ１６２によって実行される。なお、ここでは、可搬型の記憶媒体を例示したが、内蔵型の記憶媒体であってもよい。
【０１８８】
また、通信網（図示省略）を介して画像ビューワ１５０に接続される他のコンピュータ又はサーバ装置等の記憶部に制御プログラムを記憶させておき、制御プログラムが画像ビューワ１５０の要求に応じてダウンロードされた後にインストールされるようにしてもよい。この場合、インストールされた制御プログラムはＣＰＵ１６２によって実行される。
【０１８９】
また、上記第１実施形態で説明した表示制御処理はあくまでも一例である。従って、主旨を逸脱しない範囲内において不要なステップを削除したり、新たなステップを追加したり、処理順序を入れ替えたりしてもよいことは言うまでもない。
【０１９０】
また、上記第１実施形態では、コンピュータを利用したソフトウェア構成により表示制御処理が実現される場合を例示したが、本開示の技術はこれに限定されるものではない。コンピュータを利用したソフトウェア構成に代えて、ＦＰＧＡ又はＡＳＩＣ等のハードウェア構成のみによって、表示制御処理が実行されるようにしてもよい。表示制御処理がソフトウェア構成とハードウェア構成との組み合わせた構成によって実行されるようにしてもよい。
【０１９１】
表示制御処理等の各種処理を実行するハードウェア資源としては、例えば、プログラムを実行することで各種処理を実行するハードウェア資源として機能する汎用的なプロセッサであるＣＰＵが挙げられる。また、他のハードウェア資源としては、例えば、専用に設計されたＦＰＧＡ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの回路構成を有するプロセッサである専用電気回路が挙げられる。また、これらのプロセッサのハードウェア的な構造としては、半導体素子などの回路素子を組み合わせた電気回路を用いることができる。各種処理を実行するハードウェア資源は、上述した複数種類のプロセッサのうちの１つであってもよいし、同種または異種の２つ以上のプロセッサの組み合わせであってもよい。
【０１９２】
［第２実施形態］
本第２実施形態では、上記第１実施形態で説明した構成要素と同一の構成要素には同一の符号を付し、その説明を省略する。
【０１９３】
メモリ１６４には、２Ｄ／３Ｄ表示画面生成プログラムが記憶されている。ＣＰＵ１６２は、メモリ１６４から２Ｄ／３Ｄ表示画面生成プログラムを読み出し、読み出した２Ｄ／３Ｄ表示画面生成プログラムを実行する。
【０１９４】
一方、メモリ１６４には、ＯＣＴ表示画面生成プログラムが記憶されている。ＣＰＵ１６２は、メモリ１６４からＯＣＴ表示画面生成プログラムを読み出し、読み出したＯＣＴ表示画面生成プログラムを実行する。
【０１９５】
図１７には、ＣＰＵ１６２によって２Ｄ／３Ｄ表示画面生成プログラムが実行されることで実現される２Ｄ／３Ｄ表示画面生成処理の流れが示されている。
【０１９６】
図１７に示す２Ｄ／３Ｄ表示画面生成処理では、ステップ６００Ｓで、画像処理部１８２は、眼科装置１１０によって被検眼の眼底が撮影されて得られたＵＷＦＳＬＯ眼底画像を眼科装置１１０から取得する。
【０１９７】
次のステップ６０２Ｓで、画像処理部１８２は、眼科装置１１０から取得したＵＷＦＳＬＯ眼底画像を画像変換することで３Ｄ眼底画像を生成する。ここで、３Ｄ眼底画像とは、眼底を示す３次元の画像を指す。なお、画像処理部１８２は、上記第１実施形態で説明した２次元画像の３次元画像への変換方法を利用して３Ｄ眼底画像を生成する。
【０１９８】
次のステップ６０４Ｓで、画像処理部１８２は、図１８に示すビューワ用の２Ｄ／３Ｄ表示画面６００を示す２Ｄ／３Ｄ表示画面情報を生成する。
【０１９９】
次のステップ６０６Ｓで、画像処理部１８２は、２Ｄ／３Ｄ表示画面情報を画像ビューワ１５０に送信し、その後、２Ｄ／３Ｄ表示画面生成処理を終了する。
【０２００】
２Ｄ／３Ｄ表示画面生成処理に含まれるステップ６０６Ｓの処理が実行されることによって２Ｄ／３Ｄ表示画面情報が画像ビューワ１５０に送信されると、表示制御部１８４が２Ｄ／３Ｄ表示画面情報を受信する。表示制御部１８４は、図１８に示すように、ディスプレイ１７２に対して、受信した２Ｄ／３Ｄ表示画面情報により示される２Ｄ／３Ｄ表示画面６００を表示させる。
【０２０１】
なお、図１８では、ステップ６００Ｓの処理が実行されることで取得されたＳＬＯ眼底画像の一例であるＵＷＦＳＬＯ眼底画像４００Ｓ１と、ステップ６０２Ｓの処理が実行されることで生成された３Ｄ眼底画像である３次元画像４００Ｓ２とが被検眼確認画面２５０内に横並びで表示されている。
【０２０２】
また、図１２Ａと同様に、図１９Ａでも、表示画面分割ライン２５２をＳＬＯ眼底画像表示画面２５０Ａ側から３次元画像表示画面２５０Ｂ側へ移動させると、ディスプレイ１７２は、表示制御部１８４の制御下で、ＵＷＦＳＬＯ眼底画像４００Ｓ１を拡大して表示し、３次元画像４００Ｓ２を縮小して表示する。
【０２０３】
また、図１２Ｂと同様に、図１９Ｂでも、表示画面分割ライン２５２を３次元画像表示画面２５０Ｂ側からＳＬＯ眼底画像表示画面２５０Ａ側へ移動させると、ディスプレイ１７２は、表示制御部１８４の制御下で、３次元画像４００Ｓ２を拡大して表示し、ＵＷＦＳＬＯ眼底画像４００Ｓ１を縮小して表示する。
【０２０４】
図２０に示すように、画像処理部１８２により、ＵＷＦＳＬＯ眼底画像４００Ｓ１に対して、ＯＣＴ取得位置を示す線分矢印４０２Ｓが作成される。線分矢印４０２Ｓは、図１４Ａに示す２次元変換対象領域２５０Ａ３に相当するマークである。線分矢印４０２Ｓの位置、形状、及び大きさは、入力／指示デバイス１７４又は入力／指示デバイス１７４Ａによって受け付けられた指示に応じて定められる。すなわち、ユーザは、入力／指示デバイス１７４又は入力／指示デバイス１７４Ａを介して、ＵＷＦＳＬＯ眼底画像４００Ｓ１上での線分矢印４０２Ｓの位置、形状、及び大きさを指定する。なお、線分矢印４０２Ｓの位置は、本開示の技術に係る「２次元眼底画像上で指定された第１位置」の一例である。
【０２０５】
線分矢印４０２Ｓが定められると、画像処理部１８２により、３Ｄ画像上位置が求められる。３Ｄ画像上位置は、本開示の技術に係る「３次元眼球画像上の第２領域」の一例である。３Ｄ画像上位置とは、ＵＷＦＳＬＯ眼底画像４００Ｓ１上で指定された線分矢印４０２Ｓの位置に対応する、３Ｄ画像上の位置を指す。３Ｄ画像上位置は、例えば、図１０に示す指定部位観察処理に含まれるステップ３０８Ａ〜ステップ３０８Ｄの処理と同様の処理が画像処理部１８２によって実行されることで求められる。
【０２０６】
３Ｄ画像上位置が求められると、画像処理部１８２により、図２０に示すように、３Ｄ画像上位置に基づいて円弧矢印４０２Ｔが作成される。そして、画像処理部１８２により、円弧矢印４０２Ｔが重畳された３次元画像４００Ｓ２が作成される。
【０２０７】
そして、管理サーバ１４０が眼科装置１１０を制御することにより、眼科装置１１０は、被検眼のうちの線分矢印４０２Ｓの領域及び円弧矢印４０２Ｔの領域から特定される部位に対して、光干渉断層撮影、すなわち、ＯＣＴユニット２０によるＯＣＴ撮影を行う。
【０２０８】
このように、本第２実施形態では、線分矢印４０２Ｓの位置及び円弧矢印４０２Ｔの位置が、光干渉断層撮影、すなわち、ＯＣＴユニット２０によるＯＣＴ撮影を行う位置とされている。なお、円弧矢印４０２Ｔは、本開示の技術に係る「第２領域を示すマーク」の一例である。
【０２０９】
画像処理部１８２は、ＯＣＴ撮影が行われることによって得られたＯＣＴ画像を取得し、メモリ１６４に記憶する。なお、ここで言う「ＯＣＴ画像」とは、ＯＣＴユニット２０により取得されたＯＣＴデータに基づいて作成されたＯＣＴ画像を指す。
【０２１０】
図２１には、ＣＰＵ１６２によってＯＣＴ表示画面生成プログラムが実行されることで実現されるＯＣＴ表示画面生成処理の流れが示されている。なお、図２１に示すフローチャートの説明では、便宜上、メモリ１６４に、２Ｄ画像、３Ｄ画像、及びＯＣＴ画像が既に記憶されていることを前提とする。ここで言う「２Ｄ画像」とは、図１７に示す２Ｄ／３Ｄ表示画面生成処理に含まれるステップ６００Ｓの処理が実行されることで取得されたＵＷＦＳＬＯ眼底画像を指す。また、ここで言う「３Ｄ画像」とは、図１７に示す２Ｄ／３Ｄ表示画面生成処理に含まれるステップ６０２Ｓの処理が実行されることで生成された３Ｄ眼底画像を指す。
【０２１１】
図２１に示すＯＣＴ表示画面生成処理では、先ず、ステップ６５０Ｓで、画像処理部１８２は、メモリ１６４から、２Ｄ画像、３Ｄ画像、ＯＣＴ画像、及びＯＣＴ取得位置を読み出す。ＯＣＴ取得位置とは、ＵＷＦＳＬＯ眼底画像４００Ｓ１上での線分矢印４０２Ｓの位置を指す。
【０２１２】
次のステップ６５２Ｓで、画像処理部１８２は、ＯＣＴ表示画面の指令を取得する。ＯＣＴ表示画面の指令とは、ディスプレイ１７２に対して、図２２に示すＯＣＴ表示画面７００の表示を開始させる指令を指す。ＯＣＴ表示画面の指令は、ユーザによって受付デバイス（図示省略）を介して与えられる。受付デバイスとしては、入力／指示デバイス１７４が挙げられる。また、受付デバイスの他の例としては、管理サーバ１４０と通信可能な外部装置に接続されたキーボード、マウス、及び／又はタッチパネル等が挙げられる。管理サーバ１４０と通信可能な外部装置としては、眼科装置１１０及び画像ビューワ１５０等が挙げられる。
【０２１３】
次のステップ６５４Ｓで、画像処理部１８２は、ＯＣＴ取得位置を重畳したＯＣＴ表示画面を作成する。
【０２１４】
本ステップ６５４Ｓでは、図２２に示すように、線分矢印４０２Ｓが重畳されたＵＷＦＳＬＯ眼底画像４００Ｓ１と、円弧矢印４０２Ｔが重畳された３次元画像４００Ｓ２と、ステップ６５０Ｓの処理が実行されることで読み出されたＯＣＴ画像と、を含むＯＣＴ表示画面７００が画像処理部１８２によって作成される。
【０２１５】
次のステップ６５６Ｓで、表示制御部１８４は、ステップ６５４Ｓの処理で作成したＯＣＴ表示画面７００を示すＯＣＴ表示画面情報を画像ビューワ１５０に送信し、その後、ＯＣＴ表示画面生成処理を終了する。
【０２１６】
ＯＣＴ表示画面生成処理に含まれるステップ６５６Ｓの処理が実行されることによってＯＣＴ表示画面情報が画像ビューワ１５０に送信されると、表示制御部１８４がＯＣＴ表示画面情報を受信する。表示制御部１８４は、図２２に示すように、ディスプレイ１７２に対して、受信したＯＣＴ表示画面情報により示されるＯＣＴ表示画面７００を表示させる。
【０２１７】
図２２に示すように、ＯＣＴ表示画面７００は、図１８に示す２Ｄ／３Ｄ表示画面６００に比べ、ＳＬＯ眼底画像表示画面２５０Ａに代えてＳＬＯ眼底画像表示画面５０８Ａを有する点、３次元画像表示画面２５０Ｂに代えて３次元画像表示画面５０８Ｂを有する点が異なる。また、ＯＣＴ表示画面７００は、図１８に示す２Ｄ／３Ｄ表示画面６００に比べ、断層画像表示画面７０２を有する点が異なる。
【０２１８】
ＳＬＯ眼底画像表示画面５０８Ａには、線分矢印４０２Ｓが重畳されたＵＷＦＳＬＯ眼底画像４００Ｓ１が表示される。３次元画像表示画面５０８Ｂには、円弧矢印４０２Ｔが重畳された３次元画像４００Ｓ２が表示される。断層画像表示画面７０２には、被検眼のうちの線分矢印４０２Ｓの位置及び円弧矢印４０２Ｔの位置から特定された部位がＯＣＴ撮影されて得られたＯＣＴ画像７０８が表示される。
【０２１９】
図２１に示すＯＣＴ表示画面生成処理では、線分矢印４０２Ｓが円弧矢印４０２Ｔに変換される形態例を挙げて説明したが、本開示の技術はこれに限定されない。先に、３Ｄ画像上で円弧矢印４０２Ｔの位置、大きさ、及び形状がユーザによって指定され、指定された円弧矢印４０２Ｔが線分矢印４０２Ｓに変換されるようにしてもよい。これは、３Ｄ画像上で指定された円弧矢印４０２Ｔの位置に対応する、ＵＷＦＳＬＯ眼底画像４００Ｓ１上の位置が画像処理部１８２によって求められることを意味する。
【０２２０】
円弧矢印４０２Ｔから線分矢印４０２Ｓへの変換は、図１０に示す指定部位観察処理に含まれるステップ３０８Ｅ〜ステップ３０８Ｈの処理と同様の処理が画像処理部１８２によって実行されることで実現される。なお、円弧矢印４０２Ｔから線分矢印４０２Ｓへ変換される場合、円弧矢印４０２Ｔの領域は、本開示の技術に係る「３次元眼球画像上で指定された第１領域」の一例であり、線分矢印４０２Ｓの領域は、本開示の技術に係る「２次元眼底画像上の第２領域」の一例である。また、円弧矢印４０２Ｔから線分矢印４０２Ｓへ変換される場合、線分矢印４０２Ｓは、本開示の技術に係る「第２領域を示すマーク」の一例である。
【０２２１】
また、被検眼のうちの線分矢印４０２Ｓの位置及び円弧矢印４０２Ｔの位置から特定される部位に対して、レーザ治療装置１３５によるレーザ治療が行われるようにしてもよい。つまり、線分矢印４０２Ｓの位置及び円弧矢印４０２Ｔの位置を、レーザ治療を行う位置としてもよい。
【０２２２】
なお、上記第２実施形態では、管理サーバ１４０により２Ｄ／３Ｄ表示画面生成処理が実行される場合について説明したが、本開示の技術はこれに限定されない。２Ｄ／３Ｄ表示画面生成処理は、眼科装置１１０、レーザ治療装置１３５、又は画像ビューワ１５０によって実行されるようにしてもよい。また、眼科装置１１０、レーザ治療装置１３５、管理サーバ１４０、及び画像ビューワ１５０のうちの少なくとも２つ以上の装置により２Ｄ／３Ｄ表示画面生成処理が分散処理されるようにしてもよい。
【０２２３】
また、上記第２実施形態では、管理サーバ１４０によりＯＣＴ表示画面生成処理が実行される場合について説明したが、本開示の技術はこれに限定されない。ＯＣＴ表示画面生成処理は、眼科装置１１０、レーザ治療装置１３５、又は画像ビューワ１５０によって実行されるようにしてもよい。また、眼科装置１１０、レーザ治療装置１３５、管理サーバ１４０、及び画像ビューワ１５０のうちの少なくとも２つ以上の装置によりＯＣＴ表示画面生成処理が分散処理されるようにしてもよい。
【０２２４】
また、上記第２実施形態では、２Ｄ／３Ｄ表示画面生成プログラム及びＯＣＴ表示画面生成プログラム（以下、「画面生成プログラム」と称する）をメモリ１６４から読み出す場合を例示したが、必ずしも最初からメモリ１６４に記憶させておく必要はない。ＳＳＤ、ＵＳＢメモリ、又はＤＶＤ−ＲＯＭ等の任意の可搬型の記憶媒体に先ずは制御プログラムを記憶させておいてもよい。この場合、記憶媒体の画面生成プログラムが眼科装置１１０、管理サーバ１４０、又は画像ビューワ１５０等にインストールされ、インストールされた画面生成プログラムがＣＰＵによって実行される。
【０２２５】
また、通信網（図示省略）を介して眼科装置１１０、管理サーバ１４０、又は画像ビューワ１５０に接続される他のコンピュータ又はサーバ装置等の記憶部に画面生成プログラムを記憶させておき、画面生成プログラムが眼科装置１１０、管理サーバ１４０、又は画像ビューワ１５０の要求に応じてダウンロードされた後にインストールされるようにしてもよい。この場合、インストールされた画面生成プログラムはＣＰＵによって実行される。
【０２２６】
また、上記第２実施形態で説明した２Ｄ／３Ｄ表示画面生成処理及びＯＣＴ表示画面生成処理はあくまでも一例である。従って、本開示の技術の主旨を逸脱しない範囲内において不要なステップを削除したり、新たなステップを追加したり、処理順序を入れ替えたりしてもよいことは言うまでもない。
【０２２７】
また、上記第２実施形態では、コンピュータを利用したソフトウェア構成により２Ｄ／３Ｄ表示画面生成処理及びＯＣＴ表示画面生成処理が実現される場合を例示したが、本開示の技術はこれに限定されるものではない。コンピュータを利用したソフトウェア構成に代えて、ＦＰＧＡ又はＡＳＩＣ等のハードウェア構成のみによって、２Ｄ／３Ｄ表示画面生成処理及びＯＣＴ表示画面生成処理のうちの少なくとも１つの処理が実行されるようにしてもよい。２Ｄ／３Ｄ表示画面生成処理及びＯＣＴ表示画面生成処理のうちの少なくとも１つの処理がソフトウェア構成とハードウェア構成との組み合わせた構成によって実行されるようにしてもよい。
【０２２８】
２Ｄ／３Ｄ表示画面生成処理及びＯＣＴ表示画面生成処理等の各種処理を実行するハードウェア資源としては、プログラムを実行することで各種処理を実行するハードウェア資源として機能する汎用的なプロセッサであるＣＰＵが挙げられる。また、他のハードウェア資源としては、専用に設計されたＦＰＧＡ、ＰＬＤ、又はＡＳＩＣなどの回路構成を有するプロセッサである専用電気回路が挙げられる。また、これらのプロセッサのハードウェア的な構造としては、半導体素子などの回路素子を組み合わせた電気回路を用いることができる。各種処理を実行するハードウェア資源は、上述した複数種類のプロセッサのうちの１つであってもよいし、同種または異種の２つ以上のプロセッサの組み合わせであってもよい。
【０２２９】
以上に示した記載内容及び図示内容は、本開示の技術に係る部分についての詳細な説明であり、本開示の技術の一例に過ぎない。例えば、上記の構成、機能、作用、及び効果に関する説明は、本開示の技術に係る部分の構成、機能、作用、及び効果の一例に関する説明である。よって、本開示の技術の主旨を逸脱しない範囲内において、以上に示した記載内容及び図示内容に対して、不要な部分を削除したり、新たな要素を追加したり、置き換えたりしてもよいことは言うまでもない。また、錯綜を回避し、本開示の技術に係る部分の理解を容易にするために、以上に示した記載内容及び図示内容では、本開示の技術の実施を可能にする上で特に説明を要しない技術常識等に関する説明は省略されている。
【０２３０】
本明細書において、「Ａ及び／又はＢ」は、「Ａ及びＢのうちの少なくとも１つ」と同義である。つまり、「Ａ及び／又はＢ」は、Ａだけであってもよいし、Ｂだけであってもよいし、Ａ及びＢの組み合わせであってもよい、という意味である。また、本明細書において、３つ以上の事柄を「及び／又は」で結び付けて表現する場合も、「Ａ及び／又はＢ」と同様の考え方が適用される。
【０２３１】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０２３２】
１００  眼科システム
１１０  眼科装置
１３５  レーザ治療装置
１３５Ａ  レーザ照射ユニット
１４０  管理サーバ
１５０  画像ビューワ
１６０，１６０Ａ  制御ユニット
１７２，１７２Ａ  ディスプレイ
１８２，１８２Ａ  画像処理部
１８４，１８４Ａ  表示制御部
２５０Ａ１，２５０Ａ３，２５０Ａ４，２６８，２７２  ２次元変換対象領域画像
２５０Ａ２  ２次元加工画像
２５０Ｂ２  ３次元変換対象領域画像
２５０Ｂ１，２５０Ｂ３，２５０Ｂ４，２７０，２７４  ３次元加工画像
【図１】
2020058611.tif 000003
【図２】
2020058611.tif 000004
【図３】
2020058611.tif 000005
【図４】
2020058611.tif 000006
【図５】
2020058611.tif 000007
【図６】
2020058611.tif 000008
【図７】
2020058611.tif 000009
【図８】
2020058611.tif 000010
【図９】
2020058611.tif 000011
【図１０】
2020058611.tif 000012
【図１１Ａ】
2020058611.tif 000013
【図１１Ｂ】
2020058611.tif 000014
【図１１Ｃ】
2020058611.tif 000015
【図１２Ａ】
2020058611.tif 000016
【図１２Ｂ】
2020058611.tif 000017
【図１３】
2020058611.tif 000018
【図１４Ａ】
2020058611.tif 000019
【図１４Ｂ】
2020058611.tif 000020
【図１５Ａ】
2020058611.tif 000021
【図１５Ｂ】
2020058611.tif 000022
【図１６】
2020058611.tif 000023
【図１７】
2020058611.tif 000024
【図１８】
2020058611.tif 000025
【図１９Ａ】
2020058611.tif 000026
【図１９Ｂ】
2020058611.tif 000027
【図２０】
2020058611.tif 000028
【図２１】
2020058611.tif 000029
【図２２】
2020058611.tif 000030
【図２３】
2020058611.tif 000031
【図２４】
2020058611.tif 000032
【図２５】
2020058611.tif 000033